(57)【特許請求の範囲】
【請求項１】
ゲームプログラムなどのコンピュータプログラムに、前記ゲームプログラムを制御するための使用者入力を供給するための装置であって、
ケースと、
前記装置の表側に位置付けられた複数の制御装置と、
前記装置の裏側に位置付けられた少なくとも１つの第１の追加制御装置と、
前記装置の裏側に位置付けられた少なくとも１つの第２の追加制御装置と、
を備え、
前記装置は、使用者の親指が前記装置の前記表側に位置付けられた制御装置を操作する位置に来るように、前記使用者の両手に保持されるような形状であり、
前記装置は、
使用者の中指、薬指、または小指によって操作可能である位置で、前記装置の前記裏側に搭載された少なくとも１つの第１の作動機構であって、前記第１の追加制御装置および前記第２の追加制御装置が、前記第１の作動機構の下に配置されている、第１の作動機構と、
使用者の中指、薬指、または小指によって操作可能である位置で、前記装置の前記裏側に搭載された少なくとも１つの第２の作動機構と、
を備え、
前記第１の作動機構は、前記少なくとも１つの第１の追加制御装置を作動させるように構成され、
前記第２の作動機構は、前記少なくとも１つの第２の追加制御装置を作動させるように構成され、
前記第２の作動機構は、前記第１の作動機構と重なる関係で配置されるように構成された側方部分を備え、前記側方部分が、前記第１の追加制御装置および前記第２の追加制御装置の一方の上に配置されている、装置。
【請求項２】
前記第１の作動機構は前記装置に枢動可能に結合される、請求項１に記載の装置。
【請求項３】
前記第２の作動機構は前記装置に枢動可能に結合される、請求項１に記載の装置。
【請求項４】
前記第１の作動機構は前記装置に取り外し可能に搭載される、請求項１に記載の装置。
【請求項５】
前記第２の作動機構は前記装置に取り外し可能に搭載される、請求項１に記載の装置。
【請求項６】
前記第１の作動機構は、その内面から延びる第１の隆起部を備える、請求項１に記載の装置。
【請求項７】
前記第２の作動機構は、その前記側方部分の内面から延びる第２の隆起部を備える、請求項６に記載の装置。
【請求項８】
前記第１の隆起部は前記第２の隆起部より長い、請求項７に記載の装置。
【請求項９】
前記装置の上部に位置付けられた複数の制御装置を備え、前記装置は、使用者の人さし指が前記装置の前記上部に位置付けられた制御装置を操作する位置に来るように、前記使用者の両手に保持されるような形状である、請求項１に記載の装置。
【請求項１０】
ゲームプログラムなどのコンピュータプログラムに、前記ゲームプログラムを制御するための使用者入力を供給するための装置とともに使用するための作動機構であって、前記装置は、
ケースと、
前記装置の表側に位置付けられた複数の制御装置と、
前記装置の裏側に位置付けられた少なくとも１つの第１の追加制御装置と、
前記装置の裏側に位置付けられた少なくとも１つの第２の追加制御装置と、
を備え、
前記装置は、使用者の親指が前記装置の前記表側に位置付けられた制御装置を操作する位置に来るように、前記使用者の両手に保持されるような形状であり、
前記作動機構は、前記少なくとも１つの第１の追加制御装置を作動させるように構成され、使用者の中指、薬指、または小指によって操作可能であり、前記作動機構は、前記少なくとも１つの第２の追加制御装置を作動するためのさらなる作動機構と重なる関係で配置されるように構成された第１の部分を備え、前記さらなる作動機構が、前記第１の追加制御装置および前記第２の追加制御装置双方の上方に配置されている、作動機構。
【請求項１１】
前記第１の作動機構がパドルレバーを備える、請求項１に記載の装置。
【請求項１２】
前記第２の作動機構がパドルレバーを備える、請求項１に記載の装置。
【請求項１３】
前記第１の作動機構が、前記第１の追加制御装置と係合するために使用者によって作動されると変形するように構成された材料から成る、請求項１に記載の装置。
【請求項１４】
前記第２の作動機構が、前記第２の追加制御装置と係合するために使用者によって作動されると変形するように構成された材料から成る、請求項１に記載の装置。
【請求項１５】
前記第１の追加制御装置および前記第２の追加制御装置が、前記装置の前記裏側において前記ケースと面一である、請求項１に記載の装置。
【請求項１６】
前記第１の追加制御装置および前記第２の追加制御装置が、前記装置の前記裏側において前記ケース内に凹んでいる、請求項１に記載の装置。
【請求項１７】
前記第１の作動機構を前記装置の前記裏側に近い位置に保持するように、前記第１の作動機構に保持力を付与する磁石と、
前記保持力と反対方向の付勢力を付与する復帰付勢機構と、
をさらに備える、請求項１に記載の装置。
【請求項１８】
前記復帰付勢機構によって付与される前記付勢力は、前記磁石によって付与される前記保持力より小さい、請求項１７に記載の装置。
【請求項１９】
少なくとも１つの第１の追加制御装置が、復帰付勢デバイスを備えた切替機構を備え、前記復帰付勢機構によって付与される前記付勢力と、前記切替機構の前記復帰付勢デバイスによって付与される前記付勢力とは、前記磁石によって付与される前記保持力以下である、請求項１７に記載の装置。
【請求項２０】
前記第１の作動機構は、前記復帰付勢機構と係合するように前記ケースのオリフィスへと延びる突出部を備える、請求項１７に記載の装置。
【発明の詳細な説明】
【技術分野】
【０００１】
本発明はコンピュータゲームのプレイを制御するためのコントローラに関し、より詳細には、排他的ではないが、本発明はゲーム機のためのゲームコントローラのアクチュエータシステムに関する。
【背景技術】
【０００２】
テレビゲームを操作するために現在利用可能な多くの様々な種類のゲーム機がある。例えば、Ｍｉｃｒｏｓｏｆｔ（登録商標）、Ｓｏｎｙ（登録商標）、およびＮｉｎｔｅｎｄｏ（登録商標）は、Ｘｂｏｘ（登録商標）、Ｐｌａｙｓｔａｔｉｏｎ（登録商標）、およびＷｉｉ（登録商標）のゲーム機をそれぞれ製造している。ゲーム機は、典型的には、使用者がテレビゲームの操作を制御できるようにゲームコントローラを備える。
【０００３】
ほとんどの現在のゲーム機用コントローラは通常、両手を使用する使用者によって保持および操作されるように意図されている。従来のコントローラは、コントローラの周りに搭載された複数の制御装置を伴う硬い外ケースを通常備える。典型的には、制御装置は、ボタン、アナログ制御スティック、バンパ、およびトリガを含む。
【０００４】
一部の知られているゲームコントローラは、テレビゲームの機能の制御の操作のための何らかの形態のアクチュエータシステムを含む。アクチュエータ、ボタン、または他の押下げ可能もしくは手動操作可能なデバイスは、典型的には、武器の発射または攻撃命令の発令など、個別のアクションを制御するために使用され、ボタン、アクチュエータ、または他の制御装置をコントローラの表側および上部に設けることが知られている。コントローラの上部に搭載された制御装置は、使用者の人さし指によって操作可能であるように意図されており、ボタンは一般的にトリガまたはバンパとして知られている。コントローラの表側に搭載された制御装置は、使用者の親指によって操作可能であるように意図されており、このような制御装置は、普通は移動を制御し、使用者の左および右の親指によってそれぞれ操作されるように意図された左および右のアナログのサムスティックを含み得る。普通は追加のアクションを制御し、使用者の右親指によって操作されるように意図されている、コントローラの表側の前方右部分に位置付けられた追加のボタンがある場合もある。制御装置の表側の後方左部分に位置付けられた方向パッドが設けられる場合もある。方向パッドは、典型的には、左サムスティックの代わりとして、または、追加のアクションを提供するためのいずれかで、使用者の左親指によって操作されるように意図されている。コントローラは、典型的には、使用者がコントローラを保持できるように一対のハンドルまたは把持部分を有し、典型的には、使用者はそれぞれのハンドルを掴むために各々の手の中指、薬指、および／または小指を用いる。
【０００５】
急速に拡大するゲーム市場と、多大なプレイヤー入力を求める複雑なゲームの開発とから、様々なゲーム環境において制御の向上を得るために、プレイヤーが自身のコントローラをカスタマイズできることが望ましい。
【発明の概要】
【発明が解決しようとする課題】
【０００６】
本発明は、テレビゲームの機能の制御の操作のために使用者が手の中指、薬指、または小指を用いることができる追加のアクチュエータをコントローラの底部に含むゲームコントローラを提供することで、先行技術のコントローラに関連する問題の一部を改良するか、または少なくとも軽減しようとするものである。
【課題を解決するための手段】
【０００７】
本発明の第１の態様は、ゲームプログラムなどのコンピュータプログラムに、そのゲームプログラムを制御するための使用者入力を供給するための装置であって、
ケースと、
装置の表側に位置付けられた複数の制御装置と、
装置の裏側に位置付けられた少なくとも１つの第１の追加制御装置と、
装置の裏側に位置付けられた少なくとも１つの第２の追加制御装置と、
を備え、
装置は、使用者の親指が装置の表側に位置付けられた制御装置を操作する位置に来るように、使用者の両手に保持されるような形状であり、装置は、
使用者の中指、薬指、または小指によって操作可能である位置で、装置の裏側に搭載された少なくとも１つの第１のアクチュエータと、
使用者の中指、薬指、または小指によって操作可能である位置で、装置の裏側に搭載された少なくとも１つの第２のアクチュエータと、
を備え、
第１のアクチュエータは、少なくとも１つの第１の追加制御装置を作動させるように構成でき、
第２のアクチュエータは、少なくとも１つの第２の追加制御装置を作動させるように構成でき、
第１のアクチュエータは、第２のアクチュエータと重なる関係で配置されるように構成された第１の部分を備える、装置を提供する。
【０００８】
任意選択で、第１のアクチュエータはコントローラに枢動可能に結合される。
【０００９】
任意選択で、第２のアクチュエータはコントローラに枢動可能に結合される。
【００１０】
任意選択で、第１のアクチュエータは装置に取り外し可能に搭載される。
【００１１】
任意選択で、第２のアクチュエータは装置に取り外し可能に搭載される。
【００１２】
任意選択で、第１のアクチュエータは、その内面から延びる第１の隆起部を備える。
【００１３】
任意選択で、第２のアクチュエータは、その第１の部分の内面から延びる第２の隆起部を備える。
【００１４】
任意選択で、第１の隆起部は第２の隆起部より長い。
【００１５】
任意選択で、装置は、装置の上部に位置付けられた複数の制御装置を備え、装置は、使用者の人さし指が装置の上部に位置付けられた制御装置を操作する位置に来るように、使用者の両手に保持されるような形状である。
【００１６】
本発明の第２の態様は、ゲームプログラムなどのコンピュータプログラムに、そのゲームプログラムを制御するための使用者入力を供給するための装置とともに使用するためのアクチュエータであって、装置は、
ケースと、
装置の表側に位置付けられた複数の制御装置と、
装置の裏側に位置付けられた少なくとも１つの第１の追加制御装置と、
装置の裏側に位置付けられた少なくとも１つの第２の追加制御装置と、
を備え、
装置は、使用者の親指が装置の表側に位置付けられた制御装置を操作する位置に来るように、使用者の両手に保持されるような形状であり、
アクチュエータは、少なくとも１つの第１の追加制御装置を作動させるように構成でき、使用者の中指、薬指、または小指によって操作可能であり得、アクチュエータは、少なくとも１つの第２の追加制御装置を作動するためのさらなるアクチュエータと重なる関係で配置されるように構成された第１の部分を備える、アクチュエータを提供する。
【００１７】
本発明の第３の態様は、ゲームプログラムなどのコンピュータプログラムに、そのゲームプログラムを制御するための使用者入力を供給するための装置であって、
ケースと、
装置の表側に位置付けられた複数の制御装置と、
装置の裏側パネルに位置付けられた少なくとも１つの第１の追加制御装置と、
を備え、
装置は、使用者の親指が装置の表側に位置付けられた制御装置を操作する位置に来るように、使用者の両手に保持されるような形状であり、
装置は、使用者の中指、薬指、または小指によって操作可能である位置で、装置の裏側パネルに搭載された少なくとも１つの第１のアクチュエータを備え、
第１のアクチュエータは、少なくとも１つの第１の追加制御装置を作動させるように構成され、
第１のアクチュエータは、第１のアクチュエータをコントローラに回転可能に搭載するための第１の突起を備え、
装置は、第１の突起が位置付けられる少なくとも１つの第１の受入部を備える、装置を提供する。
【００１８】
任意選択で、突起は受入部へとスライド可能に挿入可能である。
【００１９】
任意選択で、突起は円筒部分を備える。
【００２０】
任意選択で、受入部は円筒形の導路を備える。
【００２１】
任意選択で、受入部は、部分円筒を定める壁部を備えた通路を備える。
【００２２】
任意選択で、装置は、装置の裏側に位置付けられた少なくとも１つの第２の追加制御装置と、使用者の中指、薬指、または小指によって操作可能な位置で装置の裏側に搭載された少なくとも１つの第２のアクチュエータとを備え、第２のアクチュエータは、少なくとも１つの第２の追加制御装置を作動させるように構成され、少なくとも１つの第２のアクチュエータは第２の突起を備える。
【００２３】
任意選択で、少なくとも１つの第２のアクチュエータの突起は受入部内に位置付けられる。
【００２４】
任意選択で、装置は、第２の突起を受け入れるための少なくとも１つの第２の受入部を備える。
【００２５】
任意選択で、受入部は、第１のアクチュエータが回転可能に搭載される円筒形の軸を定める。
【００２６】
任意選択で、受入部は、第２のアクチュエータが回転可能に搭載される円筒形の軸を定める。
【００２７】
任意選択で、第２の受入部は、第２のアクチュエータが回転可能に搭載される円筒形の軸を定める。
【００２８】
任意選択で、第１のアクチュエータは、中間部分によって突起に結合されたテール部分を備え、中間部分は、第１のアクチュエータがクランクを形成するようにレバーを提供する。
【００２９】
任意選択で、受入部は、受入部の中に第１のアクチュエータを保持するための磁石を備える。
【００３０】
任意選択で、裏側パネルは、第１のアクチュエータを裏側パネルに近接して保持するための磁石を備える。
【００３１】
任意選択で、裏側パネルは、保持体を提供する少なくとも１つの直立した壁部を備える。
【００３２】
任意選択で、受入部は、受入部における第１のアクチュエータおよび第２のアクチュエータの場所をあらかじめ定めるインデックスを備える。
【００３３】
任意選択で、第１のアクチュエータは、その外面から延びる突部を備え、アクチュエータの移動の角度範囲を限定する制限体を提供する。
【００３４】
本発明の第４の態様は、ゲームプログラムなどのコンピュータプログラムに、そのゲームプログラムを制御するための使用者入力を供給するための装置とともに使用するためのアクチュエータであって、装置は、
ケースと、
装置の表側に位置付けられた複数の制御装置と、
装置の裏側パネルに位置付けられた少なくとも１つの第１の追加制御装置と、
第１の突起が位置付けられた少なくとも１つの第１の受入部と、
を備え、
装置は、使用者の親指が装置の表側に位置付けられた制御装置を操作する位置に来るように、使用者の両手に保持されるような形状であり、
アクチュエータは、少なくとも１つの第１の追加制御装置を作動させるように構成でき、使用者の中指、薬指、または小指によって操作可能である位置で、装置の裏側パネルに搭載でき、
アクチュエータは、第１のアクチュエータをコントローラに回転可能に搭載するための第１の突起を備える、アクチュエータを提供する。
【００３５】
一部の実施形態では、装置はゲームコントローラである。本発明のさらなる特徴および利点は、図面に示され、以下に記載される特定の実施形態から明らかとなる。
【００３６】
本出願の範囲内で、先の段落、請求項、ならびに／または以下の記載および図面に記述される様々な態様、実施形態、例、特徴、および代替は、個別に行われる、または、それらの任意の組み合わせで行われることが、想定および意図されている。例えば、ある実施形態との関連で記載された特徴は、両立しない特徴があるのではないならば、すべての実施形態に適用可能である。
【００３７】
ここで、本発明の例示の実施形態が、添付の図面を参照して説明される。
【図面の簡単な説明】
【００３８】
【図１】第１の実施形態によるゲーム機コントローラの表側の概略図である。
【図２】図１のゲーム機コントローラの上面図である。
【図３】使用者の手を示す、図１のゲームコントローラの裏側パネルの下方からの概略図である。
【図４】図３のゲームコントローラの裏側パネルの一部分の拡大図である。
【図５Ａ】図３のゲームコントローラの裏側パネルの一部分の斜視図である。
【図５Ｂ】図３のゲームコントローラの裏側パネルの一部分の斜視図である。
【図５Ｃ】図３のゲームコントローラの裏側パネルの一部分の斜視図である。
【図６Ａ】第２の実施形態によるゲームコントローラの裏側パネルの一部分の斜視図である。
【図６Ｂ】第２の実施形態によるゲームコントローラの裏側パネルの一部分の斜視図である。
【図６Ｃ】第２の実施形態によるゲームコントローラの裏側パネルの一部分の斜視図である。
【図６Ｄ】第２の実施形態によるゲームコントローラの裏側パネルの一部分の斜視図である。
【図７】図１のゲームコントローラにアクチュエータを解除可能に結合するための第１の搭載構成を示す、ゲームコントローラの裏側パネルの一部分の下方からの斜視図である。
【図８】図１のゲームコントローラにアクチュエータを解除可能に結合するための第１の搭載構成を示す、他の実施形態によるゲームコントローラの裏側パネルの一部分の上方からの斜視図である。
【図９Ａ】第３の実施形態によるゲームコントローラにアクチュエータを解除可能に結合するための第１の代替の搭載構成を示す、他の実施形態によるゲームコントローラの裏側パネルの一部分の断面図である。
【図９Ｂ】図９Ａの第２の搭載構成を示す、ゲームコントローラの裏側パネルの一部分の下方からの斜視図である。
【図９Ｃ】図９Ａのゲームコントローラの裏側パネルの一部分の上方からの斜視図である。
【図９Ｄ】図９Ａのゲームコントローラの裏側パネルの一部分の下方からの代替の斜視図である。
【図１０Ａ】第４の実施形態によるゲームコントローラにアクチュエータを解除可能に結合するための第３の搭載構成を示す、ゲームコントローラの裏側パネルの一部分の下方からの斜視図である。
【図１０Ｂ】第４の実施形態によるゲームコントローラにアクチュエータを解除可能に結合するための第３の搭載構成を示す、ゲームコントローラの裏側パネルの一部分の下方からの斜視図である。
【図１１】第５の実施形態によるゲームコントローラにアクチュエータを解除可能に結合するための第４の搭載構成を示す、ゲームコントローラの裏側パネルの一部分の下方からの斜視図である。
【図１２Ａ】図１１のゲームの裏側パネルの一部分の代替図である。
【図１２Ｂ】図１１のゲームの裏側パネルの一部分の代替図である。
【図１２Ｃ】図１１のゲームの裏側パネルの一部分の代替図である。
【図１３Ａ】図１１のゲームの裏側パネルの一部分の代替図である。
【図１３Ｂ】図１１のゲームの裏側パネルの一部分の代替図である。
【図１４Ａ】図１１のゲームの裏側パネルの一部分の代替図である。
【図１４Ｂ】図１１のゲームの裏側パネルの一部分の代替図である。
【図１５Ａ】第６の実施形態によるゲームコントローラにアクチュエータを解除可能に結合するための第５の搭載構成を示す、ゲームコントローラの裏側パネルの一部分の下方からの斜視図である。
【図１５Ｂ】図１５Ａの第５の搭載構成の断面図である。
【図１５Ｃ】図１５Ａの第５の搭載構成の断面図である。
【図１６Ａ】第７の実施形態によるゲームコントローラにアクチュエータを解除可能に結合するための第６の搭載構成を示す、ゲームコントローラの裏側パネルの一部分の下方からの斜視図である。
【図１６Ｂ】第８の実施形態によるゲームコントローラにアクチュエータを解除可能に結合するための第７の搭載構成の断面図である。
【図１６Ｃ】第９の実施形態によるゲームコントローラにアクチュエータを解除可能に結合するための第８の搭載構成の断面図である。
【図１６Ｄ】第１０の実施形態によるゲームコントローラにアクチュエータを解除可能に結合するための第９の搭載構成の断面図である。
【図１７Ａ】第１１の実施形態によるゲームコントローラにアクチュエータを解除可能に結合するための第１０の搭載構成を示す、ゲームコントローラの裏側パネルの一部分の下方からの斜視図である。
【図１７Ｂ】図７Ａのゲームコントローラの裏側パネルの一部分の下方からの端面図である。
【図１７Ｃ】第１２の実施形態によるゲームコントローラにアクチュエータを解除可能に結合するための第１１の搭載構成を示す、ゲームコントローラの裏側パネルの一部分の下方からの斜視図である。
【図１８】アクチュエータが動作の角度範囲を制限するための制限体を備える図１１の第４の搭載構成を示す、ゲームコントローラの裏側パネルの一部分の断面図である。
【図１９】本発明の別の実施形態によるゲームコントローラの裏側パネルの一部分の分解斜視図である。
【図２０】図１９の実施形態によるゲームコントローラの裏側パネルの一部分の斜視図である。
【図２１】図１９の実施形態における使用のための第１のアクチュエータの側面図、端面図、および平面図である。
【図２２】図１９の実施形態における使用のための第２のアクチュエータの側面図、端面図、および平面図である。
【図２３】図２２の第２のアクチュエータの斜視図である。
【図２４】図１９の実施形態によるゲームコントローラの裏側パネルの一部分の平面図である。
【図２５】図２４に示した線ＨＨ’に沿って切り取られた図である。
【発明を実施するための形態】
【００３９】
ゲームコントローラおよびアクチュエータの特定の実施形態の詳細な記載が本明細書に開示される。開示される実施形態は、本発明のある態様が実施され得る方法の単なる例であり、本発明が具現化され得るすべての方法の排他的な列記を表していないことが理解されよう。実際、ここに記載したゲームコントローラおよびアクチュエータは、様々な代替の形態で具現化できることが理解されよう。図は必ずしも一定の縮尺ではなく、一部の特徴は、特定の構成要素の詳細を示すために誇張するか、または最小限にする場合がある。よく知られている構成要素、材料、または方法は、本開示を不明瞭にすることを回避するために、必ずしも詳細には説明されない。ここに開示した任意の特定の構造および機能の詳細は、限定として解釈されるものではなく、請求項のための根拠として、および、本発明を様々に用いるための当業者への教示のための代表的な根拠として、解釈されるものである。
【００４０】
図１を参照すると、本発明の実施形態によるコントローラ１０が示されている。コントローラ１０は、コントローラ１０の表側および上部に搭載されたゲーム制御装置の構成を備えている。コントローラ１０は、コントローラ１０の表側に搭載された左アナログサムスティック２と右アナログサムスティック３とを備えている。左アナログサムスティック２および右アナログサムスティック３は、普通は、移動のアクションを制御し、使用者の左親指および右親指によってそれぞれ操作されるように意図されている。コントローラ１０は、コントローラ１０の表側の前方右部分に位置付けられ、普通は追加のゲーム内のアクションを制御し、使用者の右親指によって操作されるように意図されている４つのボタン４を備えている。コントローラ１０は、コントローラ１０の表側の後方左部分に位置付けられた方向パッド５を備えている。方向パッド５は、使用者の左親指によって操作されるように意図されており、典型的には、左サムスティック２の代わりとして、または、追加のアクションを提供するためのいずれかで使用される。コントローラ１０は、コントローラ１０の上部に位置付けられた左トリガ本体６、右トリガ本体７、左バンパ８、および右バンパ９も備えている。左トリガ本体６および右トリガ本体７は、典型的には使用者の人さし指によって操作される。左バンパ８および右バンパ９も、使用者の人さし指によって操作され得る。本実施形態に関連して図示されたゲーム制御装置の構成は、任意選択であり、後に記載しているような様々なアクチュエータに適用され得る本発明を具現化する他のゲームコントローラでは、異なっていてもよいことが理解されよう。
【００４１】
図２は、図１のコントローラ１０の上面図を示している。左トリガ本体６が左バンパ８の下方に搭載され、右トリガ本体７が右バンパ９の下方に搭載されることが分かる。
【００４２】
使用者は、自身の右親指を右サムスティック３から動かし、自身の右親指を４つのボタン４のうちの１つまたは複数に置くことで、コントローラの表側において４つのボタンを操作することができる。この操作は時間を取り、一部のゲームでは、制御のロスを引き起こす可能性がある。これは、右サムスティック３が武器の十字線または他のレティクルを狙うために使用される、例えば戦闘ゲームといった正確性を必要とするアプリケーションにおいて、特に問題である。同様の問題は、方向パッド５が追加のアクションを提供し、方向パッド５を操作するために使用者が自身の左親指を左サムスティック２から動かすことを必要とされるゲームでも生じ得る。
【００４３】
上記のことに鑑みて、使用者が、４つのボタン４および／または方向パッド５によって制御される追加のアクションを操作するために、自身の親指を左サムスティック２または右サムスティック３から動かす必要性をなくす、改良されたコントローラに対する要求がある。
【００４４】
ゲームコントローラ１０の裏側が図３に示されている。コントローラ１０は第１のハンドルＨＲと第２のハンドルＨＬとを備えている。第１のハンドルＨＲおよび第２のハンドルＨＬは、中央本体部分１４の反対にある側方側に配置されている。第１のハンドルＨＲは、使用者１２の右手Ｒで掴まれるように意図されている。第２のハンドルＨＬは、使用者１２の左手Ｌで掴まれるように意図されている。使用者１２は、右手Ｒの中指、薬指、または小指の１つまたは複数を第１のハンドルＨＲの周りに巻き付ける。使用者は、左手Ｌの中指、薬指、または小指の１つまたは複数を第２のハンドルＨＬの周りに巻き付ける。
【００４５】
コントローラ１０は、１つまたは複数のアクチュエータをパドルレバー１１Ａ、１１Ｂ、１１Ｃ、１１Ｄの形態で備えている。図示した実施形態では、コントローラ１０は、コントローラ１０の裏側に搭載された４つのアクチュエータ、すなわち、第１のパドルレバー１１Ａ、第２のパドルレバー１１Ｂ、第３のパドルレバー１１Ｃ、および第４のパドルレバー１１Ｄを備えている。パドルレバー１１Ａ、１１Ｂ、１１Ｃ、１１Ｄは各々、取り外し可能な方法で個別または別々に搭載されており、図示した実施形態では、４つのアクチュエータのうちのいずれかが、コントローラ１０から取り外しまたは省略されてもよい。パドルレバー１１Ａ、１１Ｂ、１１Ｃ、１１Ｄは、図３に示しているように、使用者１２の中指、薬指、または小指によって操作されるように位置決めされている。
【００４６】
図示した実施形態では、４つのアクチュエータの各々は実質的に縦方向に延びている。縦方向は、右トリガ６および左トリガ７が搭載されるコントローラ１０の上からコントローラ１０の下へと延びる。
【００４７】
使用者は、パドルレバー１１Ａ、１１Ｂ、１１Ｃ、１１Ｄのいずれかを、その外面に係合することで変位または押下げすることができ、このような変位によって、作動されたパドルレバー１１Ａ、１１Ｂ、１１Ｃ、１１Ｄはそれぞれの切替機構Ｓ１、Ｓ２、Ｓ３、Ｓ４（図４参照）を作動させる。
【００４８】
第１のパドルレバー１１Ａおよび第２のパドルレバー１１Ｂは、互いの鏡像であるが実質的に同じ構造であり、図４に示した第１のパドルレバー１１Ａを参照して説明される。第３のパドルレバー１１Ｃおよび第４のパドルレバー１１Ｄは、互いの鏡像であるが実質的に同じ構造であり、図４に示した第３のパドルレバー１１Ｃを参照して説明される。第１のパドルレバー１１Ａは、コントローラ本体部分１４に搭載されるカップリングの周りで変位可能である。パドルレバーは、符号１３によって指示される位置に配置された支持体の周りで変形または湾曲され得る。
【００４９】
ここで図４を参照すると、コントローラは、第１のパドルレバー１１Ａの第１の端部部分と鉛直に位置合わせして搭載される第１の切替機構Ｓ１および第２の切替機構Ｓ２を備えている。第３の切替機構Ｓ３および第４の切替機構Ｓ４は、第２のパドルレバー１１Ｂの第１の端部部分と鉛直に位置合わせして搭載される。第１の切替機構Ｓ１、第２の切替機構Ｓ２、第３の切替機構Ｓ３、および第４の切替機構Ｓ４は、コントローラ１０の本体１４内に搭載されている。図４の実施形態では、切替機構Ｓ１、Ｓ２、Ｓ３、Ｓ４は、コントローラ本体部分１４の外面と面一になるように、切替機構Ｓ１、Ｓ２、Ｓ３、Ｓ４の各々の一部分がコントローラ本体部分１４におけるそれぞれの開口を通じて延びるように構成されている。
【００５０】
一部の実施形態では、切替機構Ｓ１、Ｓ２、Ｓ３、Ｓ４は、少なくとも部分的にコントローラ本体部分１４を貫いて延び、４つのアクチュエータのそれぞれ１つの内面に近接または接触して配置され得る。
【００５１】
他の実施形態では、切替機構Ｓ１、Ｓ２、Ｓ３、Ｓ４は、コントローラ本体部分１４内に凹むように、コントローラ本体部分１４の外面に対して引っ込んでいてもよい。
【００５２】
パドルレバー１１Ａは、中立位置または待機位置にあるときにパドルレバー１１Ａの内面が第１の切替機構Ｓ１と近接して（任意選択で接触して）配置されるように構成されている。同様に、第２のパドルレバー１１Ｂ、第３のパドルレバー１１Ｃ、および第４のパドルレバー１１Ｄは、内面が第２の切替機構Ｓ２、第３の切替機構Ｓ３、および第４の切替機構Ｓ４とそれぞれ近接して（任意選択で接触して）配置されるように構成されている。
【００５３】
任意選択で、第１のパドルレバー１１Ａは、その第１の内面から延びる第１の浮き出し部または隆起部（図示していない）を備えている。第１の隆起部は、第１のパドルレバー１１Ａが第１のパドルレバー１１Ａの第１の端部の近くで押下げられると、第２の切替機構Ｓ２と係合するように構成されている。
【００５４】
任意選択で、第２のパドルレバー１１Ｂは、その第１の内面から延びる第２の浮き出し部または隆起部（図示していない）を備えている。第２の隆起部は、第２のパドルレバー１１Ｂが第２のパドルレバー１１Ｂの第１の端部の近くで押下げられると、第４の切替機構Ｓ４と係合するように構成されている。
【００５５】
第３のパドルレバー１１Ｃは、第１の翼部１６Ｃの形態で第１の側方に延びる突部を備えている。第１の翼部１６Ｃは、コントローラ本体部分１４の外面と第１のパドルレバー１１Ａの内面との間で延びている。このようにして、第３のパドルレバー１１Ｃは、第１のパドルレバー１１Ａと重なる関係で構成されている。
【００５６】
第４のパドルレバー１１Ｄは、第２の翼部１６Ｄの形態で第２の側方に延びる突部を備えている。第２の翼部１６Ｄは、コントローラ本体部分１４の外面と第２のパドルレバー１１Ｂの内面との間で延びている。このようにして、第４のパドルレバー１１Ｄは、第２のパドルレバー１１Ｂと重なり合う関係で構成されている。
【００５７】
任意選択で、第３のパドルレバー１１Ｃは、第１の翼部１６Ｃの第１の内面から延びる第３の浮き出し部または隆起部（図示していない）を備えている。第３の隆起部は、第３のパドルレバー１１Ｃが第３のパドルレバー１１Ｃの第１の端部の近くで押下げられると、第１の切替機構Ｓ１と係合するように構成されている。
【００５８】
任意選択で、第４のパドルレバー１１Ｄは、第２の翼部１６Ｄの第１の内面から延びる第４の浮き出し部または隆起部（図示していない）を備えている。第４の隆起部は、第４のパドルレバー１１Ｄが第４のパドルレバー１１Ｄの第１の端部の近くで押下げられると、第３の切替機構Ｓ３と係合するように構成されている。
【００５９】
ここで図５Ａおよび図５Ｃを参照すると、第１のパドルレバー１１Ａ、第２のパドルレバー１１Ｂ、および第３のパドルレバー１１Ｃが取り外されている。第４のパドルレバー１１Ｄの第２の翼部１６Ｄは、第２のパドルレバー（図示していない）の下方で延びるように構成されている。図５Ａでは、第２のパドルレバー１１Ｂが、第４の切替機構Ｓ４の場所にわたって延びる第２の翼部１６Ｄを図示するために省略または取り外されている。コントローラは、カバーパネルを取り外し可能なハッチ１３の形態で備えている。ハッチ１３は、電池室（図示していない）へのアクセスを提供できる。ハッチ１３は、４つのアクチュエータのそれぞれ１つを受け入れるための４つの通路または導路を備えている。図５Ａおよび図５Ｃは、第２のパドルレバー１１Ｂが受け入れ可能である空いた第２の導路１５Ｂを示している。第２の導路１５Ｂは、相補的な固定機構の第１の部分を備えている。
【００６０】
図５Ｃは、第１のパドルレバー１１Ａと第３のパドルレバー１１Ｃとがそれぞれ受け入れ可能である空いた第１の導路１５Ａと空いた第３の導路１５Ｃとを示している。図５Ｃは、第１のパドルレバー１１Ａ、第２のパドルレバー１１Ｂ、および第４のパドルレバー１１Ｄが取り外されているコントローラ１０の一部分を示している。図５Ｂは、第１のパドルレバー１１Ａが受け入れ可能である空いた第１の導路１５Ａを示している。
【００６１】
第１の導路１５Ａ、第２の導路１５Ｂ、第３の導路１５Ｃ、第４の導路１５Ｄは、図７および図８に示しているような相補的な固定機構の第１の部分を各々備えている。相補的な固定機構は、差し込み式の留め具の形態を取り得る。
【００６２】
相補的な固定機構の第１の部分は、ハッチ１３内に切り欠きを備えている。図示した実施形態では、切り欠きは開口１７Ａ、１７Ｂ、１７Ｃ、１７Ｄの形態を取る。代替の実施形態では、切り欠きは、凹所、溝、または開放通路の形態を取り得る。
【００６３】
他の実施形態では、相補的な固定機構の第１の部分は、ハッチ１３の外面から延びる掛かり部または戻り止めを備えてもよい。
【００６４】
パドルレバー１１Ａ、１１Ｂ、１１Ｃ、１１Ｄの各々は、図７および図８に示すような相補的な固定機構の第２の部分を備えている。相補的な固定機構の第２の部分は、パドルレバー１１Ａ、１１Ｂ、１１Ｃ、１１Ｄの内面から延びる掛かり部または戻り止め２４Ａ、２４Ｂ、２４Ｃ、２４Ｄを備えている。
【００６５】
相補的な固定機構の第２の部分は、互いと噛み合うように相補的な固定機構の第１の部分と係合する。このようにして、パドルレバー１１Ａ、１１Ｂ、１１Ｃ、１１Ｄが導路１５Ａ、１５Ｂ、１５Ｃ、１５Ｄから意図せずに出て行くことが抑止または防止される。
【００６６】
各々のパドルレバー１１Ａ、１１Ｂ、１１Ｃ、１１Ｄのヘッド部分１９Ａ、１９Ｂ、１９Ｃ、１９Ｄは、それぞれの導路１５Ａ、１５Ｂ、１５Ｃ、１５Ｄのうちの１つに挿入される。掛かり部２４Ａ、２４Ｂ、２４Ｃ、２４Ｄの各々は開口１７Ａ、１７Ｂ、１７Ｃ、１７Ｄのそれぞれ１つに受け入れられる。パドルレバー１１Ａ、１１Ｂ、１１Ｃ、１１Ｄを導路１５Ａ、１５Ｂ、１５Ｃ、１５Ｄから取り外すためには、パドルレバー１１Ａ、１１Ｂ、１１Ｃ、１１Ｄは、掛かり部２４Ａ、２４Ｂ、２４Ｃ、２４Ｄが開口１７Ａ、１７Ｂ、１７Ｃ、１７Ｄを通過するように、コントローラ１０の本体部分１４から離れるように変位される必要がある。掛かり部２４Ａ、２４Ｂ、２４Ｃ、２４Ｄが開口１７Ａ、１７Ｂ、１７Ｃ、１７Ｄを通過すると、パドルレバー１１Ａ、１１Ｂ、１１Ｃ、１１Ｄは、ハッチ１３とパドルレバー１１Ａ、１１Ｂ、１１Ｃ、１１Ｄとの間の相対動作によって導路１５Ａ、１５Ｂ、１５Ｃ、１５Ｄから取り外しできる。
【００６７】
ハッチ１３は、少なくとも１つの案内部２３と、コントローラ本体１４に解除可能に取り付けられるための少なくとも１つの保持クリップ２２とを備えてもいる。
【００６８】
パドルレバー１１Ａ、１１Ｂ、１１Ｃ、１１Ｄのうちの１つまたは複数は、パドルレバー１１Ａ、１１Ｂ、１１Ｃ、１１Ｄを安定させるための支え部材を側方の浮き出し部２１Ｂの形態で備え得る。側方の浮き出し部２１Ｂは、導路１５Ａ、１５Ｂ、１５Ｃ、１５Ｄ内でのパドルレバー１１Ａ、１１Ｂ、１１Ｃ、１１Ｄの回転または他の側方の移動を低減または防止できる。
【００６９】
図示した実施形態では、最も外側のアクチュエータである第１のパドルレバー１１Ａおよび第２のパドルレバー１１Ｂは、その外側の縁部に配置される支え部材を各々備えている。支え部材は、それぞれの導路の側壁部の端部に当接する係合縁部を備えている。支え部材は、パドルレバー１１Ａ、１１Ｂ、１１Ｃ、１１Ｄへの側方または横方向の支持を提供する。他の実施形態では、支え部材は、外側の側縁部の追加または代替として、パドルレバー１１Ａ、１１Ｂ、１１Ｃ、１１Ｄの内側の側縁部に設けられてもよい。なおもさらなる実施形態では、最も内側のアクチュエータである第３のパドルレバー１１Ｃおよび第４のパドルレバー１１Ｄが、支え部材を備え得る。
【００７０】
なおもさらなる実施形態では、パドルレバーは、雄のネジ山を有するネジなどの機械的な固定によって、ハッチ１３に固定され得る。ネジは、パドルレバー１１Ａ、１１Ｂ、１１Ｃ、１１Ｄにおける開口を貫いて通ることができる。ネジは、ハッチ１３またはコントローラ本体部分１４における開口に受け入れられ、その開口は雌のネジ山を備え得る。代替で、ネジは、開口へとねじ込まれるときに開口に内部ネジ山を作り出すように、つまり、開口をセルフタッピングするように構成されてもよい。なおもさらなる実施形態では、ネジの雄のネジ山は、パドルレバー１１Ａ、１１Ｂ、１１Ｃ、１１Ｄが固定されるのと反対側の表面において、ハッチ１３または本体部分１４の表面に配置されたナットによって提供される内部ネジ山に受け入れられ得る。
【００７１】
ここで図６Ａ〜図６Ｃを参照すると、本開示の追加の実施形態が示されている。第２の図示した実施形態では、可能な場合、同様の符号が同様の部品を示すために使用されているが、これらの特徴が第２の実施形態に属することを示すために「１００」番台の符号としている。追加の実施形態は、第１の実施形態と多くの共通の特徴を共有しており、そのため、図１から図５Ｄまでに示した実施形態との違いだけが詳細に説明される。
【００７２】
図６Ａ〜図６Ｄの実施形態では、内側のアクチュエータ、第３のパドルレバー（図示していない）、および第４のパドルレバー１１１Ｄは、第２の切替機構Ｓ２および第４の切替機構Ｓ４を作動させるように構成されている。これを行うために、第２の翼部１１６Ｄは、図１〜図５Ｃの実施形態においてより第４のパドルレバー１１１Ｄの第１の端部により近接して配置されており、図６Ｃに最もよく示されている。
【００７３】
第２の翼部１１６Ｄは、図６Ａ、図６Ｂ、および図６Ｃに示しているように、第２のパドルレバー１１１Ｂの下を通っている。
【００７４】
ここで図９Ａ〜図９Ｄを参照すると、代替の実施形態が示されている。第３の図示した実施形態では、可能な場合、同様の符号が同様の部品を示すために使用されるが、これらの特徴が第３の実施形態にそれぞれ属することを示すために「２００」番台の符号としている。代替の実施形態は、第１および第２の実施形態と多くの共通の特徴を共有しており、そのため、図１から図６Ｃまでに示した実施形態との違いだけがより詳細に説明される。
【００７５】
図９Ａ〜図９Ｄの実施形態では、アクチュエータ２１１Ｂ、２１１Ｄは、フック２３０と案内部またはレール２３２とを含む代替の固定機構によって、ハッチ２１３に取り外し可能に搭載される。
【００７６】
パドルレバー２１１Ｂ、２１１Ｄは第１の端部と第２の端部とを備える。第１の端部に近い領域は、切替機構（図９Ａ〜図９Ｄには示されていない）と係合するための浮き出し部または隆起部２１８Ｂ、２１８Ｄを備えている。
【００７７】
第２のパドルレバー２１１Ｂは第３の隆起部２１８Ｂを備えている。第４のパドルレバー２１１Ｄは第４の隆起部２１８Ｄを備えており、第４の隆起部２１８Ｄは、第４のパドルレバー２１１Ｄからの側方の出っ張りを形成する第２の翼部２１６Ｄの内面に搭載されている。第２の翼部２１６Ｄは、図９Ｃに示しているような第２のパドルレバー２１１Ｂの下で延びる。このようにして、第４のパドルレバー２１１Ｄは、第２のパドルレバー２１１Ｂと鉛直に位置合わせして配置された切替機構を作動させるように構成されている。
【００７８】
第２のパドルレバー２１１Ｂおよび第４のパドルレバー２１１Ｄの第２の端部は、図９Ａに最もよく示されているフック２３０を備えている。
【００７９】
レール２３２は第１の端部にアンダーカット２３６を備えており、アンダーカット２３６は通路を定めている。アンダーカット２３６は、フック２３０の一部分を少なくとも一部において受け入れるように構成されている。
【００８０】
レール２３２の第２の端部は、端部停止部２２９Ｄの側壁部２２７Ｄと嵌まり合うように構成されている。端部停止部２２９Ｄは、パドルレバー２１１Ｄの内面から延びる突部によって形成されている。
【００８１】
代替で、端部停止部２２９Ｄは、パドルレバー２１１Ｄの内面に設けられたパドルレバー２１１Ｄにおける凹所または切り欠きによって形成され得る。
【００８２】
レール２３２の第２の端部は第２のアンダーカットを備えてもよく、例えば、限定されることはないが、第２のアンダーカットは弓形または湾曲であり得る。端部停止部２２９Ｄの側壁部２２７Ｄは、第２のアンダーカットと相補的な形状であってよく、また、パドルレバー２１１Ｄがレール２３２の第１の端部を中心として枢動または回転され得る一方で、端部停止部２２９Ｄの側壁部２２７Ｄとレールの第２の端部とが近接または接触するように構成されてもよい。このようにして、端部停止部２２９Ｄの側壁部２２７Ｄの表面はレール２３２の第２の端部の表面の上をスライドできる。
【００８３】
永久磁石２３８Ａ、２３８Ｃ、２３８Ｄ、例えば、これに限定されることはないが、ネオジム磁石が、レール２３２に搭載されてもよい。磁石２３８Ａ、２３８Ｃ、２３８Ｄは、レール２３２の上面にセットされるように構成され、任意選択で、磁石２３８Ａ、２３８Ｃ、２３８Ｄの外面はレール２３２の上面と面一であってもよい。
【００８４】
パドルレバー２１１Ｂ、２１１Ｄは、永久磁石２３８Ａ、２３８Ｃ、２３８Ｄがパドルレバー２１１Ｂ、２１１Ｄをレール２３２に保持するように、鉄または他の磁性材料を備え得る。このようにして、レール２３２はフック２３０と端部停止部２２９Ｄとの間に配置され、それによって、パドルレバー２１１Ｂ、２１１Ｄのレール２３２からの意図されない分離を抑止または防止する。
【００８５】
代替の実施形態では、パドルレバー２１１Ｂ、２１１Ｄは、引き付ける力がそれらの間に存在するように磁石２３８Ａ、２３８Ｃ、２３８Ｄと反対の極性で構成される第２の永久磁石を備えてもよい。
【００８６】
なおも他の実施形態では、パドルレバー２１１Ｂ、２１１Ｄは永久磁石を備えてもよく、レール２３２は鉄または他の磁性材料を備えてもよい。
【００８７】
パドルレバー２１１Ｂ、２１１Ｄは、フック２３０とレール２３２とがヒンジ付きとされた連結を形成し、それによってパドルレバー２１１Ｂ、２１１Ｄがレール２３２の周りで枢動または回転され得るように、レール２３２の周りで変位可能となるように構成されてもよい。図示した実施形態では、レール２３２の上面はレール２３２の第１の端部に向かって傾斜されている。このようにして、空隙が、パドルレバー２１１Ｂ、２１１Ｄと、レール２３２の第２の端部に近いレール２３２との間に提供される。端部停止部２２９Ｄの内面または下面は、それらの下に配置されるハッチ２１３の外面から離間されており、そのため、パドルレバー２１１Ｂ、２１１Ｄが回り込むための隙間を提供している。他の実施形態では、弾性的に圧縮可能な材料が、パドルレバー２１１Ｂ、２１１Ｄとレール２３２との間の空隙に、および／または、端部停止部２２９Ｄとハッチ２１３の外面との間の隙間に、設けられてもよい。
【００８８】
パドルレバーの側方側は、支持部材２３１、２３３、２３５、２３７、２３９、２４１によって支持され得る。支持部材２３１、２３３、２３５、２３７、２３９、２４１は、パドルレバー２１１Ｂ、２１１Ｄにその第２の端部に近接して側方の支持を提供するために、パドルレバー２１１Ｂ、２１１Ｄの側方の側の縁部に近接して配置されている側壁部を備えている。
【００８９】
一部の実施形態では、単一の支持部材２３３、２３９は、図９Ｂに示しているように、支持部材２３３、２３９の両側に配置された一対のパドルレバー２１１Ｂ、２１１Ｄに側方の支持を提供するように、一対の相対する側壁部を備えてもよい。
【００９０】
ここで図１０Ａおよび図１０Ｂを参照すると、代替の実施形態が示されている。第４の図示した実施形態では、可能な場合、同様の符号が同様の部品を示すために使用されるが、これらの特徴が第４の実施形態にそれぞれ属することを示すために「３００」番台の符号としている。代替の実施形態は、第１、第２、および第３の実施形態と多くの共通の特徴を共有しており、そのため、図１から図９Ｄまでに示した実施形態との違いだけがより詳細に説明される。
【００９１】
図１０Ａおよび図１０Ｂは、アクチュエータをコントローラ３１０に取り外し可能に結合するための搭載構成のなおも別の実施形態を含むゲームコントローラ３１０の裏側の一部分を示している。コントローラ３１０は４つのパドルレバー３１１Ａ、３１１Ｂ、３１１Ｃ、３１１Ｄを備えている。第１のパドルレバー３１１Ａは、コントローラ３１０の第１のハンドル（図示していない）の近くに配置されるように構成されている。第２のパドルレバー３１１Ｂは、コントローラ３１０の第２のハンドル（図示していない）の近くに配置されるように構成されている。第３のパドルレバー３１１Ｃは、第１のパドルレバー３１１Ａの近くに配置されるように構成されている。第４のパドルレバー３１１Ｄは、第２のパドルレバー３１１Ｂの近くに配置されるように構成されている。各々のパドルレバー３１１Ａ、３１１Ｂ、３１１Ｃ、３１１Ｄは、第１の端部にヘッド部分３５２Ｄ（図１０Ｂ参照）を備えている。ヘッド部分３５２Ｄはシャフトの形態を取り、任意選択で形が円筒であり、シャフトと形が相補的である内部孔を定める導路３１７Ａ、３１７Ｃ、３１７Ｄにおいて受け入れられるように構成されている。
【００９２】
ヘッド部分３５２Ｄは導路３１７Ａ、３１７Ｃ、３１７Ｄ内で回転可能に搭載される。
【００９３】
導路３１７Ａ、３１７Ｃ、３１７Ｄは、ハッチまたは取り外し可能なカバーパネル３１３に搭載されるか、または、その中で一体に形成される。代替の実施形態では、導路３１７Ａ、３１７Ｃ、３１７Ｄは、コントローラ本体３１４に搭載されるか、または、その中で一体に形成される。各々の導路３１７Ａ、３１７Ｃ、３１７Ｄは、パドルレバー３１１Ａ、３１１Ｂ、３１１Ｃ、３１１Ｄのヘッド部分３５２Ｄが挿入されるのに通る開放端部を備える。各々の導路３１７Ａ、３１７Ｃ、３１７Ｄの反対にある端部は閉じられ得る。
【００９４】
各々のパドルレバー３１１Ａ、３１１Ｂ、３１１Ｃ、３１１Ｄは、反対側にある各自の第２の端部に、テール部分３５１Ａ、３５１Ｂ、３５１Ｃ、３５１Ｄを備える（図１０Ｂ参照）。テール部分３５１Ｂ、３５１Ｄは、ヘッド部分３５２Ｄから側方方向にずれている。第２および第４のパドルレバー３１１Ｂ、３１１Ｄのテール部分３５１Ｂ、３５１Ｄは、第２および第４のパドルレバー３１１Ｂ、３１１Ｄの前記一方のそれぞれのヘッド部分３５２Ｄよりもコントローラ３１０の第２のハンドルにより近接して配置されるように構成されている。第１および第３のパドルレバー３１１Ａ、３１１Ｃのテール部分３５１Ａ、３５１Ｃは、第１および第３のパドルレバー３１１Ａ、３１１Ｃの前記一方のそれぞれのヘッド部分よりもコントローラ３１０の第１のハンドルにより近接して配置されるように構成されている。
【００９５】
各々のパドルレバー３１１Ａ、３１１Ｂ、３１１Ｃ、３１１Ｄは、ヘッド部分３５２Ｄとテール部分との間で延びる中間部分３５０Ｂ、３５０Ｄを備えている（図１０Ｂ参照）。各々のパドルレバー３１１Ａ、３１１Ｂ、３１１Ｃ、３１１Ｄの中間部分３５０Ａ、３５０Ｂ、３５０Ｃ、３５０Ｄは、前記パドルレバー３１１Ａ、３１１Ｂ、３１１Ｃ、３１１Ｄのそれぞれのヘッド部分に対して異なる方に広がるように構成されている。各々のパドルレバー３１１Ａ、３１１Ｂ、３１１Ｃ、３１１Ｄの中間部分３５０Ａ、３５０Ｂ、３５０Ｃ、３５０Ｄは、前記パドルレバー３１１Ａ、３１１Ｂ、３１１Ｃ、３１１Ｄのそれぞれのテール部分に対して異なる方に広がるように構成されている。
【００９６】
中間部分３５０Ｂ、３５０Ｄは、ヘッド部分３５２Ｄとテール部分との間にレバーを形成している。これは、テール部分３５１Ａ、３５１Ｂ、３５１Ｃ、３５１Ｄが回転するのに通る円弧の曲率半径を大きくする効果を有する。内側のアクチュエータ３１１Ｃ、３１１Ｄの曲率半径は、外側のアクチュエータ３１１Ａ、３１１Ｂの曲率半径より小さい。
【００９７】
第３のパドルレバー３１１Ｃは第１の翼部３１６Ｃを備えており、第４のパドルレバー３１１Ｄは第２の翼部３１６Ｄを備えている。第１の翼部３１６Ｃは、第１のパドルレバー３１１Ａのテール部分３５１Ａの下方で、第３のパドルレバー３１１Ｃのテール部分３５１Ｃの側方の縁部から延びている。第１の翼部３１６Ｃは、第１のパドルレバー３１１Ａのテール部分３５１Ａと鉛直に位置合わせして配置された切替機構Ｓ１、Ｓ２を作動させるように構成されている。
【００９８】
第２の翼部３１６Ｄは、第２のパドルレバー３１１Ｂのテール部分３５１Ｂの下方で、第４のパドルレバー３１１Ｄのテール部分３５１Ｄの側方の縁部から延びている。第２の翼部３１６Ｄは、第２のパドルレバー３１１Ｂのテール部分３５１Ｂと鉛直に位置合わせして配置された切替機構を作動させるように構成されている。
【００９９】
各々のパドルレバー３１１Ａ、３１１Ｂ、３１１Ｃ、３１１Ｄのヘッド部分３５２Ｄは、導路３１７Ａ、３１７Ｃ、３１７Ｄのそれぞれ１つの中に保持することができ、各導路の中に配置された磁石を有し得る。磁石は、各々の導路３１７Ａ、３１７Ｃ、３１７Ｄ内に回転可能に搭載され得る。
【０１００】
各々の導路３１７Ａ、３１７Ｃ、３１７Ｄは、導路３１７Ａ、３１７Ｃ、３１７Ｄ内の磁石を固定するための保持体を備え得る。このようにして、パドルレバー３１１Ａ、３１１Ｂ、３１１Ｃ、３１１Ｄが引き抜かれるとき、または、取り外されるとき、磁石は導路３１７Ａ、３１７Ｃ、３１７Ｄ内で保持される。保持体は、導路３１７Ａ、３１７Ｃ、３１７Ｄが空であるとき、つまり、パドルレバー３１１Ａ、３１１Ｂ、３１１Ｃ、３１１Ｄがそこに存在しないとき、磁石が意図せずに導路３１７Ａ、３１７Ｃ、３１７Ｄから出て行くのも防止する。
【０１０１】
保持体は、導路３１７Ａ、３１７Ｃ、３１７Ｄ内で形成された保持体の壁部の形態を取ることができ、ヘッド部分３５２Ｄが保持体の壁部における開口を通過し得、それによって保持体の壁部の反対にある側に配置された磁石と接触させられるように、磁石はヘッド部分３５２Ｄより大きい直径を有し、保持体の壁部は環状の断面の形を有する。
【０１０２】
保持体の壁部は、一部の実施形態では、磁石が挿入された後、導路３１７Ａ、３１７Ｃ、３１７Ｄへと挿入されるスリーブまたは管状の挿入体として形成され得る。スリーブは、その取り外しを防止または抑止し、したがって磁石の取り外しを防止または抑止する差し込み式の固定を備えてもよい。一部の実施形態では、スリーブは、ヘッド部分３５２Ｄと導路３１７Ａ、３１７Ｃ、３１７Ｄとの間に軸受またはブッシュを形成し得る。
【０１０３】
なおも他の実施形態では、スリーブおよび磁石は、一緒に挿入されるように、一体に形成されるか、または、一緒に結合されてもよい。差し込み式の固定は、スリーブまたは磁石の回転移動を可能にするが、導路３１７Ａ、３１７Ｃ、３１７Ｄの管状の軸に沿っての線形の並進を抑止または防止するように構成され得る。差し込み式の固定は、３６０度にわたる完全な回転を許容するように構成され得る、または、動作の角度範囲を限定する端部停止部を備え得る。例えば、差し込み式の固定は、導路３１７Ａ、３１７Ｃ、３１７Ｄの内壁部または表面において周方向に構成される切込みまたは谷部に受け入れ可能である掛かり部または戻り止めを備えてもよい。切込みまたは谷部は、導路３１７Ａ、３１７Ｃ、３１７Ｄの内壁部の周りに全体で延び、それによって完全な３６０度の回転を許容してもよい、または、導路３１７Ａ、３１７Ｃ、３１７Ｄの内壁部の周りに一部だけで延び、それによって回転移動の範囲を限定してもよく、切込みまたは谷部の端部が回転移動の範囲への端部停止部を定める。
【０１０４】
代替の実施形態では、パドルレバー３１１Ａ、３１１Ｂ、３１１Ｃ、３１１Ｄは、機械的な留め具によって導路３１７Ａ、３１７Ｃ、３１７Ｄにおいて保持され得る。例えば、パドルレバー３１１Ａ、３１１Ｂ、３１１Ｃ、３１１Ｄのヘッド部分３５２Ｄは、その外面に、周方向で構成される切込みまたは谷部を備えてもよい。切込みまたは谷部は、ヘッド部分３５２Ｄの外壁部の周りに全体で延び、それによって完全な３６０度の回転を許容してもよく、または、ヘッド部分３５２Ｄの外面の周りに一部だけで延び、それによって回転移動の範囲を限定してもよく、切込みまたは谷部の端部が回転移動の範囲への端部停止部を定める。
【０１０５】
各々の導路３１７Ａ、３１７Ｃ、３１７Ｄは、導路３１７Ａ、３１７Ｃ、３１７Ｄの壁部を貫いて延びる開口を備えてもよい。開口は、限定されることはないが、グラブネジなどのネジの雄のネジ山を受け入れるように構成された雌のネジ山を備えてもよい。開口は、ネジの端部が導路３１７Ａ、３１７Ｃ、３１７Ｄの壁部を通過し、ヘッド部分３５２Ｄの外面における切込みまたは谷部において受け入れられ得るように構成される。このようにして、ネジがパドルレバー３１１Ａ、３１１Ｂ、３１１Ｃ、３１１Ｄのヘッド部分３５２Ｄの外面の切込みまたは谷部に受け入れられたとき、導路３１７Ａ、３１７Ｃ、３１７Ｄの管状の軸の方向への線形の移動が防止されるか、または少なくとも抑止される。
【０１０６】
パドルレバー３１１Ａ、３１１Ｂ、３１１Ｃ、３１１Ｄは、パドルレバー３１１Ａ、３１１Ｂ、３１１Ｃ、３１１Ｄのヘッド部分３５２Ｄの外面における切込みまたは谷部からネジが離れるのに十分にネジを引き抜くようにネジを緩めることで、導路３１７Ａ、３１７Ｃ、３１７Ｄから取り外しできる。
【０１０７】
代替の実施形態では、パドルレバー３１１Ａ、３１１Ｂ、３１１Ｃ、３１１Ｄのヘッド部分３５２Ｄは、パドルレバー３１１Ａ、３１１Ｂ、３１１Ｃ、３１１Ｄのヘッド部分３５２Ｄの周りに環状の壁部を定めるように、隣接する第２の領域より大きい直径を備える第１の領域を第１の端部の近くに有するように構成され得る。環状の壁部は、パドルレバー３１１Ａ、３１１Ｂ、３１１Ｃ、３１１Ｄを導路３１７Ａ、３１７Ｃ、３１７Ｄ内に保持するように、ネジと相互作用する。パドルレバー３１１Ａ、３１１Ｂ、３１１Ｃ、３１１Ｄは、パドルレバー３１１Ａ、３１１Ｂ、３１１Ｃ、３１１Ｄの第１の領域の外面からネジが離れるだけ十分にネジを引き抜くようにネジを緩めることで、導路３１７Ａ、３１７Ｃ、３１７Ｄから取り外しできる。
【０１０８】
ここで図１１Ａ〜図１４Ｂを参照すると、代替の実施形態が示されている。第５の図示した実施形態では、可能な場合、同様の符号が同様の部品を示すために使用されるが、これらの特徴が第５の実施形態にそれぞれ属することを示すために「４００」番台の符号としている。代替の実施形態は、第１、第２、第３、および第４の実施形態と多くの共通の特徴を共有しており、そのため、図１から図１０Ｂまでに示した実施形態との違いだけがより詳細に説明される。
【０１０９】
図１１〜図１４Ｂは、アクチュエータをコントローラ４１０に取り外し可能に結合するための搭載構成のなおも別の実施形態を含むゲームコントローラ４１０の裏側の一部分を示している。コントローラ４１０は、コントローラ４１０の裏側に搭載された、４つのアクチュエータ、つまり、第１のパドルレバー４１１Ａと、第２のパドルレバー４１１Ｂと、第３のパドルレバー４１１Ｃと、第４のパドルレバー４１１Ｄとを備えている。
【０１１０】
第３のパドルレバー４１１Ｃは第１の翼部４１６Ｃを備えており、第４のパドルレバー４１１Ｄは第２の翼部４１６Ｄを備えている。
【０１１１】
第１の翼部４１６Ｃは、第１のパドルレバー４１１Ａのテール部分４５１Ａの下方で、第３のパドルレバー４１１Ｃのテール部分４５１Ｃの側方の縁部から延びている。第１の翼部４１６Ｃは、第１のパドルレバー４１１Ａのテール部分４５１Ａと鉛直に位置合わせして配置された一対の切替機構Ｓ１、Ｓ２の一方を作動させるように構成されている。
【０１１２】
第２の翼部４１６Ｄは、第２のパドルレバー４１１Ｂのテール部分４５１Ｂの下方で、第４のパドルレバー４１１Ｄのテール部分４５１Ｄの側方の縁部から延びている。第２の翼部４１６Ｄは、第２のパドルレバー４１１Ｂのテール部分４５１Ｂと鉛直に位置合わせして配置された一対の切替機構Ｓ３、Ｓ４の一方を作動させるように構成されている。
【０１１３】
各々のパドルレバー４１１Ａ、４１１Ｂ、４１１Ｃ、４１１Ｄは、パドルレバー４１１Ａ、４１１Ｂ、４１１Ｃ、４１１Ｄの本体の第１の端部に、実質的に円筒形の端部部分を備えている。円筒形の端部部分４６２Ａ、４６２Ｂ、４６２Ｃ、４６２Ｄはトラニオンを形成しており、トラニオンは、パドルレバー４１１Ａ、４１１Ｂ、４１１Ｃ、４１１Ｄをコントローラ４１０に搭載させることができ、パドルレバー４１１Ａ、４１１Ｂ、４１１Ｃ、４１１Ｄが回転され得る枢軸点として作用する。
【０１１４】
コントローラ４１０は、本体部分４１４と、カバーパネルまたはハッチ４１３とを備えている。ハッチ４１３は、本体部分４１４に取り外し可能に搭載され得る。
【０１１５】
ハッチ４１３は、相補的な固定機構の第１の部分を備えている。代替の実施形態では、相補的な固定機構の第１の部分は、本体部分４１４に搭載され得るか、または、本体部分４１４と一体に形成され得る。
【０１１６】
ハッチ４１３は、図１３Ｂに最もよく示されており、第１の谷部または通路４６０Ａと第２の谷部または通路４６０Ｂとを備えている。第１の通路４６０Ａは、第１の端壁部４３７および第２の端壁部４３５を定める垂直部分によって、第２の通路４６０Ｂから分離されている。第１の端壁部４３７は第１の通路４６０Ａの端部を閉じている。第２の端壁部４３５は第２の通路４６０Ｂの端部を閉じている。
【０１１７】
任意選択で、第１の通路４６０Ａは第２の通路４６０Ｂに対して異なる方に広がるように構成される。
【０１１８】
第１の通路４６０Ａおよび第２の通路４６０Ｂは、パドルレバー４１１Ａ、４１１Ｂ、４１１Ｃ、４１１Ｄの円筒形の端部部分４６２Ａ、４６２Ｂ、４６２Ｃ、４６２Ｄに対して形が相補的となるように構成されている。第１の通路４６０Ａおよび第２の通路４６０Ｂは、それに沿う長手方向の切り欠きを有する円形の孔を定めるとみなすことができ、長手方向の切り欠きはスロットの形態を取っている。
【０１１９】
第１の通路４６０Ａおよび第２の通路４６０Ｂは、パドルレバー４１１Ａ、４１１Ｂ、４１１Ｃ、４１１Ｄの円筒形の端部部分４６２Ａ、４６２Ｂ、４６２Ｃ、４６２Ｄが受け入れられるクレードルまたは受入部を提供する。第１の通路４６０Ａおよび第２の通路４６０Ｂは、パドルレバー４１１Ａ、４１１Ｂ、４１１Ｃ、４１１Ｄが長手方向の切り欠きを通じて引き抜かれ得ないように構成されている。第１の通路４６０Ａおよび第２の通路４６０Ｂは、円筒形の端部部分４６２Ａ、４６２Ｂ、４６２Ｃ、４６２Ｄの周囲の周りに５０％超で延びている。
【０１２０】
長手方向の切り欠きの幅寸法は、円筒形の端部部分４６２Ａ、４６２Ｂ、４６２Ｃ、４６２Ｄの最大幅寸法または直径より小さい。
【０１２１】
各々のパドルレバー４１１Ａ、４１１Ｂ、４１１Ｃ、４１１Ｄの本体は、第１の通路４６０Ａおよび第２の通路４６０Ｂの長手方向の切り欠きを通って延びている。
【０１２２】
第１の通路４６０Ａは、第１の孔寸法または直径を有する第１の通路部分４６４Ａと、第３の孔寸法または直径を有する第３の通路部分４６４Ｃとを備えている。
【０１２３】
任意選択で、第１の通路４６０Ａの第３の部分４６４Ｃは、第１の通路４６０Ａの第１の部分４６４Ａよりも横方向の寸法または直径が小さい。
【０１２４】
第２の通路４６０Ｂは、第２の孔寸法または直径を有する第２の通路部分４６４Ｂと、第４の孔寸法または直径を有する第４の通路部分４６４Ｄとを備えている。
【０１２５】
任意選択で、第２の通路４６０Ｂの第４の通路部分４６４Ｄは、第２の通路４６０Ｂの第２の通路部分４６４Ｂよりも横方向の寸法または直径が小さい。
【０１２６】
図１２Ｂ、図１３Ｂ、図１４Ａ、および図１４Ｂに示しているように、円筒形の端部部分４６２Ａ、４６２Ｂ、４６２Ｃ、４６２Ｄは、第１の通路４６０Ａまたは第２の通路４６０Ｂの開放端部を通じて挿入することで、第１の通路４６０Ａまたは第２の通路４６０Ｂへと挿入される。
【０１２７】
図示した実施形態では、第３のパドルレバー４１１Ｃおよび第４のパドルレバー４１１Ｄの円筒形の端部部分４６２Ｃ、４６２Ｄは、第１のパドルレバー４１１Ａおよび第２のパドルレバー４１１Ｂの円筒形の端部部分４６２Ａ、４６２Ｂより直径が小さい。第３の通路部分４６４Ｃおよび第４の通路部分４６４Ｄは、第３のパドルレバー４１１Ｃおよび第４のパドルレバー４１１Ｄの円筒形の端部部分４６２Ｃ、４６２Ｄにぴったりと嵌まる大きさとされている。第１の通路部分４６４Ａおよび第２の通路部分４６４Ｂは、第１のパドルレバー４１１Ａおよび第２のパドルレバー４１１Ｂの円筒形の端部部分４６２Ａ、４６２Ｂとぴったりと嵌まる大きさとされている。このようにすると、第１のパドルレバー４１１Ａおよび第２のパドルレバー４１１Ｂを、第３の通路部分４６４Ｃおよび第４の通路部分４６４Ｄのそれぞれに挿入することはできない。
【０１２８】
第３のパドルレバー４１１Ｃは、第１のパドルレバー４１１Ａの挿入の前に第１の通路４６０Ａの開放端部を通して挿入される。第４のパドルレバー４１１Ｄは、図１３Ａに示しているように、第２のパドルレバー４１１Ｂの挿入の前に第２の通路部分４６４Ｂの開放端部を通して挿入される。
【０１２９】
ハッチ４１３は、第１の側壁部４４１と、第２の側壁部４３１と、第３の側壁部４３９と、第４の側壁部４３３とを備える。
【０１３０】
第１の側壁部４４１は、第１の通路４６０Ａの開放端部に向かう第１のパドルレバー４１１Ａの移動を防止または抑止する第１の保持体を提供する。このようにして、第１の保持体は、第１のパドルレバー４１１Ａが第１の通路４６０Ａを出て行くのを防止または抑止する。
【０１３１】
第２の側壁部４３１は、第２の通路４６０Ｂの開放端部に向かう第２のパドルレバー４１１Ｂの移動を防止または抑止する第２の保持体を提供する。このようにして、第２の保持体は、第２のパドルレバー４１１Ｂが第２の通路４６０Ｂを出て行くのを防止または抑止する。
【０１３２】
第３の側壁部４３９は、第１の通路４６０Ａの開放端部に向かう第３のパドルレバー４１１Ｃの移動を防止または抑止する第３の保持体を提供する。このようにして、第３の保持体は、第３のパドルレバー４１１Ｃを、第１の通路４６０Ａの第３の通路部分４６４Ｃ内で適位置に保持する。
【０１３３】
第４の側壁部４３３は、第２の通路４６０Ｂの開放端部に向かう第４のパドルレバー４１１Ｄの移動を防止または抑止する第４の保持体を提供する。このようにして、第４の保持体は、第４のパドルレバー４１１Ｄを、第２の通路４６０Ｂの第４の通路部分４６４Ｄ内で適位置に保持する。
【０１３４】
第１の側壁部４４１、第２の側壁部４３１、第３の側壁部４３９、および第４の側壁部４３３は、パドルレバー４１１Ａ、４１１Ｂ、４１１Ｃ、４１１Ｄへの側方の支持を提供することもでき、支えまたは支持の部材として働くことができる。
【０１３５】
ハッチ４１３は、これに限定されないが永久磁石など、複数の磁石４３８Ａ、４３８Ｂ、４３８Ｃ、４３８Ｄを備える。磁石４３８Ａ、４３８Ｂ、４３８Ｃ、４３８Ｄは、図１２Ａおよび図１２Ｂに示しているように、パドルレバー４１１Ａ、４１１Ｂ、４１１Ｃ、４１１Ｄの各々と鉛直に位置合わせして位置付けられている。パドルレバー４１１Ａ、４１１Ｂ、４１１Ｃ、４１１Ｄは鉄または他の磁性材料を備えている。
【０１３６】
磁石４３８Ａ、４３８Ｂ、４３８Ｃ、４３８Ｄは、パドルレバー４１１Ａ、４１１Ｂ、４１１Ｃ、４１１Ｄをハッチ４１３に向けて引っ張るまたは引き付ける。
【０１３７】
磁石４３８Ａ、４３８Ｂ、４３８Ｃ、４３８Ｄは、パドルレバー４１１Ａ、４１１Ｂ、４１１Ｃ、４１１Ｄをハッチ４１３に保持させることができる。
【０１３８】
このようにして、磁石４３８Ａ、４３８Ｂ、４３８Ｃ、４３８Ｄは、ハッチ４１３の外面から離れる方へのパドルレバー４１１Ａ、４１１Ｂ、４１１Ｃ、４１１Ｄの回転を抑止する。
【０１３９】
パドルレバー４１１Ａ、４１１Ｂ、４１１Ｃ、４１１Ｄを取り外すためには、使用者は、図１４Ａ、図１４Ｂにおける方向矢印Ｄ８およびＤ１０によって指示しているように、パドルレバー４１１Ａ、４１１Ｂ、４１１Ｃ、４１１Ｄをハッチ４１３の外面から離れる方へと回転させるために、引き付けの力に打ち勝たなければならない。
【０１４０】
図１４Ａに示しているように、第２のパドルレバー４１１Ｂが第２の側壁部４３１から離れると、第２のパドルレバー４１１Ｂは、第２の通路４６０Ｂに沿って開放端部から外へと並進させることができる。
【０１４１】
第２のパドルレバー４１１Ｂが取り外されると、第４のパドルレバー４１１Ｄを取り外すことができる。第４のパドルレバー４１１Ｄは、第４のパドルレバー４１１Ｄの本体が第４の側壁部４３３から離れるまで、方向矢印Ｄ１０によって指示されているように、ハッチ４１３の外面から離れる方に回転される。第４のパドルレバー４１１Ｄは、第２の通路４６０Ｂに沿って並進でき、開放端部を通じて取り外しできる。
【０１４２】
第２のパドルレバー４１１Ｂと第４のパドルレバー４１１Ｄとが同時に取り外しできることが理解されよう。第２の翼部４１６Ｄは、使用者が第４のパドルレバー４１１Ｄと係合できるため、第２のパドルレバー４１１Ｂと第４のパドルレバー４１１Ｄとの同時の取り外しを容易にすることができる。第４のパドルレバー４１１Ｄが回転されるとき、第２の翼部４１６Ｄは、第２のパドルレバー４１１Ｂの内面と係合し、したがって第２のパドルレバー４１１Ｂを第４のパドルレバー４１１Ｄと一緒に回転させることになる。
【０１４３】
図１８は、搭載構成が動作の角度範囲を制限するための制限体を備える代替の実施形態を示すゲームコントローラの裏側パネルの一部分を示している。第１３の図示した実施形態では、可能な場合、同様の符号が同様の部品を示すために使用されるが、これらの特徴が第１３の実施形態にそれぞれ属することを示すために「１２００」番台の符号としている。代替の実施形態は、第５の実施形態と多くの共通の特徴を共有しており、そのため、図１１から図１４Ｂまでに示した実施形態との違いだけがより詳細に説明される。
【０１４４】
図示した実施形態では、アクチュエータは制限体を備えている。第２のパドルレバー１２１１Ｂは第２の制限体１２４２を備えており、第４のパドルレバー１２１１Ｄは第４の制限体１２４３を備えている。第２の制限体１２４２および第４の制限体１２４３は、第２のパドルレバー１２１１Ｂおよび第４のパドルレバー１２１１Ｄのそれぞれ１つの本体の上面において、突部または隆起部の形態を取る。第２の制限体１２４２および第４の制限体１２４３は、第２のパドルレバー１２１１Ｂおよび第４のパドルレバー１２１１Ｄの円筒形の端部部分１２６２Ａ、１２６２Ｂの近くにそれぞれ配置されている。
【０１４５】
代替の実施形態では、ハッチ１２１３は、アクチュエータの追加または代替として制限体を備えてもよく、突部または隆起部が、円筒形の端部部分１２６２Ｂ、１２６２Ｄを少なくとも部分的に覆って延び、それによって角度の動作の範囲を限定するように、第１または第２の通路１２６０Ｂ、１２６０Ｂの壁部から延びてもよい。
【０１４６】
図１２Ｃは、内側のアクチュエータである第３のパドルレバー４１１Ｃと第４のパドルレバー４１１Ｄとが省略または取り外されているハッチ４１３を示している。第１のパドルレバー４１１Ａは、第１のパドルレバー４１１Ａのテール部分４５１Ａと鉛直に位置合わせして配置された第１の対の切替機構Ｓ１、Ｓ２の一方を作動させるために用いられ得る。第２のパドルレバー４１１Ｂは、第２のパドルレバー４１１Ｂのテール部分４５１Ｂと鉛直に位置合わせして配置された第２の対の切替機構Ｓ３、Ｓ４の一方を作動させるために用いられ得る。
【０１４７】
ここで図１５Ａ〜図１７Ｃを参照すると、代替の実施形態が示されている。図示した実施形態では、可能な場合、同様の符号が同様の部品を示すために使用されるが、これらの特徴が第６、第７、第８、第９、第１０、第１１、および第１２の実施形態にそれぞれ属することを示すために「５００」、「６００」、「７００」、「８００」、「９００」、「１０００」、「１１００」番台の符号としている。代替の実施形態は、先の実施形態と多くの共通の特徴を共有しており、そのため、図１から図１４Ｂまでに示した実施形態との違いだけがより詳細に説明される。
【０１４８】
図１５Ａ〜図１５Ｃは、アクチュエータをコントローラ５１０に取り外し可能に結合するための搭載構成の第６の実施形態を含むゲームコントローラ５１０の裏側の一部分を示している。コントローラ５１０は、コントローラ５１０の裏側に搭載された、４つのアクチュエータ、つまり、第１のパドルレバー５１１Ａと、第２のパドルレバー５１１Ｂ（図示していない）と、第３のパドルレバー５１１Ｃと、第４のパドルレバー５１１Ｄ（図示していない）とを備えている。
【０１４９】
搭載構成は、第１のパドルレバー５１１Ａと第３のパドルレバー５１１Ｃとを参照して説明される。鏡像となっているが同様の搭載構成が、第２のパドルレバー５１１Ｂと第４のパドルレバー５１１Ｄとをコントローラ５１０に結合するために設けられていることが理解されよう。
【０１５０】
第３のパドルレバー５１１Ｃは第１の翼部５１６Ｃ（図１５Ｂおよび図１５Ｃに示す）を備えており、第４のパドルレバー５１１Ｄは第２の翼部（図示していない）を備えている。
【０１５１】
第１の翼部５１６Ｃは、第１のパドルレバー５１１Ａのテール部分５５１Ａの下方で、第３のパドルレバー５１１Ｃのテール部分５５１Ｃの第１の側方の縁部から延びている。第１の翼部５１６Ｃは、第１のパドルレバー５１１Ａのテール部分５５１Ａと鉛直に位置合わせして配置された一対の切替機構Ｓ１、Ｓ２の一方を作動させるように構成されている。
【０１５２】
第１のパドルレバー５１１Ａおよび第３のパドルレバー５１１Ｃは、図１１〜図１４Ｂの第５の実施形態を参照して説明したように、例えばクレードルにおけるトラニオンを用いて、コントローラ５１０の裏側に枢動可能に結合される。
【０１５３】
第１のパドルレバー５１１Ａおよび第３のパドルレバー５１１Ｃは、実質的にコントローラ５１０の上部と下部との間に延びる軸Ａ１の周りで枢動する。
【０１５４】
第１のパドルレバー５１１Ａは、コントローラ５１０に枢動可能に搭載される第１の部分５７２Ａを備えている。第１のパドルレバー５１１Ａは、第１の部分５７２Ａから側方に離間されて中間部分５７０Ａによって第１の部分５７２Ａに結合される第２の部分５５１Ａを備えている。第２の部分５５１Ａは、中間部分５７０Ａに対して異なる方に広がるように構成されている。第２の部分５５１Ａは、コントローラ５１０に対して実質的に縦方向に、つまり、コントローラ５１０の上部と下部との間を延びる方向に、延びている。中間部分５７０Ａは、コントローラ５１０に対して実質的に横方向に、つまり、実質的にコントローラ５１０の反対側同士（図３の実施形態では、反対側同士は、第１のハンドルＨＲと第２のハンドルＨＬとによって定められている）の間で延びる方向に、延びている。中間部分５７０Ａは、実質的に第１の部分５５１Ａの第１の端部から延びている。第１の部分５５１Ａの第１の端部は、第１の部分５５１Ａの第２の反対側の端部よりも、コントローラ５１０の上部に近接して配置されている。
【０１５５】
第３のパドルレバー５１１Ｃは、コントローラ５１０に枢動可能に搭載される第１の部分５７２Ｃを備えている。第３のパドルレバー５１１Ｃは、第１の部分５７２Ｃから側方に離間されて中間部分５７０Ｃによって第１の部分５７２Ｃに結合される第２の部分５５１Ｃを備えている。第２の部分５５１Ｃは、中間部分５７０Ｃに対して異なる方に広がるように構成されている。第２の部分５５１Ｃは、コントローラ５１０に対して実質的に縦方向に、つまり、コントローラ５１０の上部と下部との間で延びる方向に、延びている。中間部分５７０Ｃは、コントローラ５１０に対して実質的に横方向に、つまり、実質的にコントローラ５１０の反対側同士（図３の実施形態では、反対側同士は、第１のハンドルＨＲと第２のハンドルＨＬとによって定められている）の間で延びる方向に、延びている。中間部分５７０Ａは、実質的に第２の側方または側縁部から延びている。中間部分５７０Ａは、第１の部分５５１Ａの第１の端部と第１の部分５５１Ａの第２の端部との中間の場所で第１の部分５５１Ａに結合されている。第１の部分５５１Ａの第１の端部は、第１の部分５５１Ａの第２の反対側の端部よりも、コントローラ５１０の上部に近接して配置されている。第１の部分５５１Ａの第１の端部は、図１５Ａおよび図１５Ｃに示しているように、第１のパドルレバー５１１Ａの中間部分の一部分との重なる関係で延びるように構成されている。
【０１５６】
図１６Ａは、アクチュエータをコントローラ６１０に取り外し可能に結合するための搭載構成の第７の実施形態を含むゲームコントローラ６１０の裏側の一部分を示している。コントローラ６１０は、コントローラ６１０の裏側に搭載された、４つのアクチュエータ、つまり、第１のパドルレバー６１１Ａと、第２のパドルレバー（図示していない）と、第３のパドルレバー６１１Ｃと、第４のパドルレバー（図示していない）とを備えている。
【０１５７】
搭載構成は、第１のパドルレバー６１１Ａと第３のパドルレバー６１１Ｃとを参照して説明される。鏡像となっているが同様の搭載構成が、第２および第４のパドルレバー（図示していない）をコントローラ６１０に結合するために設けられていることが理解されよう。
【０１５８】
第３のパドルレバー６１１Ｃは第１の翼部６１６Ｃを備えており、第４のパドルレバー（図示していない）は第２の翼部（図示していない）を備えている。
【０１５９】
第１の翼部６１６Ｃは、第１のパドルレバー６１１Ａのテール部分６５１Ａの下方で、第３のパドルレバー６１１Ｃのテール部分６５１Ｃの第１の側方の縁部から延びている。第１の翼部６１６Ｃは、第１のパドルレバー６１１Ａのテール部分６５１Ａと鉛直に位置合わせして配置された一対の切替機構Ｓ１、Ｓ２の一方を作動させるように構成されている。
【０１６０】
第１のパドルレバー６１１Ａおよび第３のパドルレバー６１１Ｃは、図１１〜図１４Ｂの第５の実施形態を参照して記載したように、例えばクレードルにおけるトラニオンを用いて、コントローラ６１０の裏側に枢動可能に結合される。
【０１６１】
第１のパドルレバー６１１Ａおよび第３のパドルレバー６１１Ｃの各々は、点線Ｎ２によって指示されている軸の周りに枢動する。枢動軸は、コントローラ６１０の縦方向に対してゼロでない角度で配向されている。縦方向は、点線Ｎ１によって指示されており、実質的にコントローラ６１０の上部と下部との間に延びている。図示した実施形態では、枢動軸は、コントローラ６１０の横方向に対してゼロでない角度θを定めるように構成されている。横方向は、点線Ｎ３によって指示されており、実質的にコントローラ６１０の反対側同士の間に延びている。
【０１６２】
第３のパドルレバー６１１Ｃは、第３のパドルレバー６１１Ｃがコントローラ６１０に枢動可能に結合される第１の端部に向かって幅広となるような形で先細りとされてもよい。第３のパドルレバー６１１Ｃの先細り部分６９０Ｃは、第３のパドルレバー６１１Ｃが操作されるときにその長さに沿って捩じれる可能性を防止または低減できる。先細り部分６９０Ｃは、操作の間の捩じれ力に耐えるために、第３のパドルレバー６１１Ｃに強度の増加を提供もする。
【０１６３】
図１６Ｂは、アクチュエータをコントローラ７１０に取り外し可能に結合するための搭載構成の第８の実施形態によるゲームコントローラ７１０の裏側の断面図を示している。コントローラ７１０は、コントローラ７１０の裏側に搭載された、４つのアクチュエータ、つまり、第１のパドルレバー（図示していない）と、第２のパドルレバー（図示していない）と、第３のパドルレバー７１１Ｃと、第４のパドルレバー（図示していない）とを備えている。
【０１６４】
図１６Ｂの実施形態では、アクチュエータ７１１Ｃは、フック７８２Ｃと通路７８４Ｃとを含む代替の固定機構によって、コントローラ７１０に取り外し可能に搭載される。フック７８２Ｃは、図９Ａに示した実施形態のフック２３０に対して反転されている。コントローラ７１０は、コントローラ７１０の本体７１４に搭載された相補的な形状の通路７８４Ｃを備えている。通路７８４Ｃは、フック７８２Ｃに対して延びる上方壁部によって少なくとも部分的に定められており、上方壁部は、フック７８２Ｃへと延びるヘッド部分７８６Ｃを備えている。第３のパドルレバー７１１Ｃは、第３のパドルレバー７１１Ｃと鉛直に位置合わせして配置された磁石７３８Ａによって所定位置に保持される。
【０１６５】
図１６Ｃは、アクチュエータをコントローラ８１０に取り外し可能に結合するための搭載構成の第９の実施形態によるゲームコントローラ８１０の裏側の断面図を示している。コントローラ８１０は、コントローラ８１０の裏側に搭載された、４つのアクチュエータ、つまり、第１のパドルレバー（図示していない）と、第２のパドルレバー（図示していない）と、第３のパドルレバー８１１Ｃと、第４のパドルレバー（図示していない）とを備えている。
【０１６６】
図１６Ｃの実施形態では、アクチュエータ８１１Ｃは、輪状構造８７６Ｃとピン８７７Ｃとを含む代替の固定機構によって、コントローラ８１０に取り外し可能に搭載される。輪状構造８７６Ｃは第３のパドルレバー８１１Ｃの第１の端部に設けられている。コントローラ８１０は、コントローラ８１０の本体８１４に搭載されたピン８７７Ｃを備えている。第３のパドルレバー８１１Ｃは、ピン８７７Ｃが輪状構造８７６Ｃを通過するようにピン８７７Ｃにスライドされる。第３のパドルレバー８１１Ｃは、第３のパドルレバー８１１Ｃと鉛直に位置合わせして配置された磁石８３８Ａによって所定位置に保持される。
【０１６７】
代替の実施形態では、輪状構造８７６Ｃは、コントローラ８１０の本体に設けられた２つの直立する壁部の間に配置される。直立する壁部は開口または凹所を各々備える。次に、ピンが直立する壁部における開口と輪状構造８７６Ｃとを通して挿入され得る。一部の実施形態では、ピン８７７Ｃは、延ばされた状態となるように付勢される少なくとも１つの端部ピンを有するバネ荷重の掛けられた棒材であり得る。端部ピンは、直立する壁部同士の間を圧縮された状態で通り、直立する壁部における開口または凹所と並べられるとき、端部ピンがピンおよびパドルレバー８１１Ｃをコントローラ８１０に固定するために延ばした状態に戻るように、（棒材へと）圧縮され得る。
【０１６８】
図１６Ｄは、アクチュエータをコントローラ９１０に取り外し可能に結合するための搭載構成の第１０の実施形態によるゲームコントローラ９１０の裏側の断面図を示している。コントローラ９１０は、コントローラ９１０の裏側に搭載された、４つのアクチュエータ、つまり、第１のパドルレバー（図示していない）と、第２のパドルレバー（図示していない）と、第３のパドルレバー９１１Ｃと、第４のパドルレバー（図示していない）とを備えている。
【０１６９】
図１６Ｄの実施形態では、アクチュエータ９１１Ｃは、図１６Ｃの実施形態に関連して前述したものと同様の方法で輪状構造９７６Ｃとピン９７７Ｃとを備える固定機構によって、コントローラ９１０に取り外し可能に搭載される。輪状構造９７６Ｃは第３のパドルレバー９１１Ｃの第１の端部から遠位の場所に設けられている。バネ９８０Ｃが、第３のパドルレバー９１１Ｃの領域と鉛直に位置合わせしてコントローラ９１０に搭載でき、前記領域は、第３のパドルレバー９１１Ｃの第１の端部と輪状構造９７６Ｃによって定められる枢軸点との間に位置付けられる。バネ９８０Ｃは、第３のパドルレバー９１１Ｃを初期位置または待機位置へと付勢するように構成され得る。一部の実施形態では、バネ９８０Ｃは、第３のパドルレバー９１１Ｃの第１の端部をコントローラ９１０の本体９１４の外面に向かって付勢する。他の実施形態では、バネ９８０Ｃは、第３のパドルレバー９１１Ｃの第１の端部をコントローラ９１０の本体９１４の外面から離すように付勢する。
【０１７０】
代替の実施形態では、ピン９７７Ｃは、第３のパドルレバー９１１Ｃを初期位置または待機位置へと付勢するための捩じりバネ機構、トーションバーまたは板バネ、または他の適切な付勢デバイスを備え得る。
【０１７１】
図１７Ａおよび図１７Ｂは、アクチュエータをコントローラ１０１０に取り外し可能に結合するための搭載構成の第１１の実施形態を含むゲームコントローラ１０１０の裏側の一部分を示している。コントローラ１０１０は、コントローラ１０１０の裏側に搭載された、４つのアクチュエータ、つまり、第１のパドルレバー１０１１Ａと、第２のパドルレバー（図示していない）と、第３のパドルレバー１０１１Ｃと、第４のパドルレバー（図示していない）とを備えている。
【０１７２】
搭載構成は、第１のパドルレバー１０１１Ａと第３のパドルレバー１０１１Ｃとを参照して説明される。鏡像となっているが同様の搭載構成が、第２および第４のパドルレバー（図示していない）をコントローラ１０１０に結合するために設けられていることが理解されよう。
【０１７３】
第３のパドルレバー１０１１Ｃは第１の翼部１０１６Ｃを備えており、第４のパドルレバー（図示していない）は第２の翼部（図示していない）を備えている。
【０１７４】
第１の翼部１０１６Ｃは、第１のパドルレバー１０１１Ａのテール部分１０５１Ａの下方で、第３のパドルレバー１０１１Ｃのテール部分１０５１Ｃの第１の側方の縁部から延びている。第１の翼部１０１６Ｃは、第１のパドルレバー１０１１Ａのテール部分１０５１Ａと鉛直に位置合わせして配置された一対の切替機構Ｓ１、Ｓ２の一方を作動させるように構成されている。
【０１７５】
第１のパドルレバー１０１１Ａおよび第３のパドルレバー１０１１Ｃは、図１１〜図１４Ｂの第５の実施形態を参照して記載したように、例えばクレードルにおけるトラニオンを用いて、コントローラ１０１０の裏側に枢動可能に結合される。
【０１７６】
第１のパドルレバー１０１１Ａは、点線Ｎ４によって指示されている第１の軸の周りに枢動する。第３のパドルレバー１０１１Ｃは、点線Ｎ５によって指示されている第２の軸の周りに枢動する。
【０１７７】
第１および第２の枢動軸は、コントローラ１０１０の縦方向に対してゼロでない角度で各々配向されている。縦方向は、点線Ｎ１によって指示されており、実質的にコントローラ１０１０の上部と下部との間に延びている。図示した実施形態では、第１および第２の枢動軸は、コントローラ１０１０の横方向に対してゼロでない角度を定めるように各々構成されている。横方向は、点線Ｎ１によって指示されている縦方向に対して垂直であり、実質的にコントローラ１０１０の反対側同士の間に延びている。
【０１７８】
第１および第２の枢動軸は、それらの間にゼロでない角度θ２を定めるように構成されている。
【０１７９】
図１７Ｃは、アクチュエータをコントローラ１１１０に取り外し可能に結合するための搭載構成の第１１の実施形態を含むゲームコントローラ１１１０の裏側の一部分を示している。コントローラ１１１０は、コントローラ１１１０の裏側に搭載された、４つのアクチュエータ、つまり、第１のパドルレバー１１１１Ａと、第２のパドルレバー（図示していない）と、第３のパドルレバー１１１１Ｃと、第４のパドルレバー（図示していない）とを備えている。
【０１８０】
搭載構成は、第１のパドルレバー１１１１Ａと第３のパドルレバー１１１１Ｃとを参照して説明される。鏡像となっているが同様の搭載構成が、第２および第４のパドルレバー（図示していない）をコントローラ１０１０に結合するために設けられていることが理解されよう。
【０１８１】
第３のパドルレバー１１１１Ｃは第１の翼部１１１６Ｃを備えており、第４のパドルレバー（図示していない）は第２の翼部（図示していない）を備えている。
【０１８２】
第１の翼部１１１６Ｃは、第１のパドルレバー１１１１Ａのテール部分１１５１Ａの下方で、第３のパドルレバー１１１１Ｃのテール部分１１５１Ｃの側方の縁部から延びている。第１の翼部１１１６Ｃは、第１のパドルレバー１１１１Ａのテール部分１１５１Ａと鉛直に位置合わせして配置された一対の切替機構Ｓ１、Ｓ２の一方を作動させるように構成されている。
【０１８３】
第１のパドルレバー１１１１Ａおよび第３のパドルレバー１１１１Ｃは、図１１〜図１４Ｂの第５の実施形態を参照して説明したように、例えばクレードルの中でトラニオンを用いて、コントローラ１１１０の裏側に枢動可能に結合される。
【０１８４】
第１のパドルレバー１１１１Ａは、点線Ｎ７によって指示されている第１の軸の周りに枢動する。第３のパドルレバー１１１１Ｃは、点線Ｎ６によって指示されている第２の軸の周りに枢動する。
【０１８５】
第１の枢動軸は、コントローラ１１１０の縦方向に対してゼロでない角度で配向されている。縦方向は、点線Ｎ１によって指示されており、実質的にコントローラ１１１０の上部と下部との間に延びている。図示した実施形態では、第１の枢動軸は、コントローラ１１１０の横方向に対してゼロでない角度を定めるように構成されている。横方向は、点線Ｎ１によって指示されている縦方向に対して垂直であり、実質的にコントローラ１１１０の反対側同士の間に延びている。
【０１８６】
第２の枢動軸は、点線Ｎ１によって指示されているように、コントローラ１１１０の縦方向に対して実質的に平行に配向されている。
【０１８７】
第１および第２の枢動軸は、それらの間にゼロでない角度を定めるように構成されている。
【０１８８】
第１のパドルレバー１１１１Ａは、コントローラ１１１０に枢動可能に搭載される第１の部分１１７２Ａを備えている。第１のパドルレバー１１１１Ａは、第１の部分１１７２Ａから側方に離間されて中間部分１１７０Ａによって第１の部分１１７２Ａに結合される第２の部分１１５１Ａを備えている。第２の部分１１５１Ａは、中間部分１１７０Ａに対して異なる方に広がるように構成されている。第２の部分１１５１Ａは、コントローラ１１１０に対して実質的に縦方向に、つまり、コントローラ１１１０の上部と下部との間を延びる方向に、延びている。中間部分１１７０Ａは、コントローラ１１１０に対して実質的に横方向に、つまり、実質的にコントローラ１１１０の反対側同士（図３の実施形態では、反対側同士は、第１のハンドルＨＲと第２のハンドルＨＬとによって定められている）の間で延びる方向に、延びている。中間部分１１７０Ａは、実質的に第２の部分１１５１Ａの第１の端部から延びている。第２の部分１１５１Ａの第１の端部は、第２の部分１１５１Ａの第２の反対側の端部よりも、コントローラ１１１０の上部に近接して配置されている。
【０１８９】
第３のパドルレバー１１１１Ｃは、第１のパドルレバー１１１１Ａの中間部分１１７０Ａと重なる関係となるように構成されている。中間部分１１７０Ｃが、第１のパドルレバー１１１１Ａの中間部分１１７０Ａの上で延びている。つまり、第１のパドルレバー１１１１Ａの中間部分１１７０Ａは、第３のパドルレバー１１１１Ｃの中間部分１１７０Ｃとコントローラ１１１０の裏側パネルの外面との間に配置されている。
【０１９０】
ここで図１９〜図２５を参照すると、代替の実施形態が示されている。第１４の図示した実施形態では、可能な場合、同様の符号が同様の部品を示すために使用されるが、これらの特徴が第１４の実施形態に属することを示すために「１３００」番台の符号としている。代替の実施形態は、先の実施形態と多くの共通の特徴を共有しており、そのため、図１から図１８までに示した実施形態との違いだけがより詳細に説明される。
【０１９１】
図１９および図２０は、アクチュエータをコントローラ１３１０に取り外し可能に結合するための搭載構成のなおも別の実施形態を含むゲームコントローラ１３１０の裏側の一部分を示している。図１９および図２０は、ゲームコントローラ１３１０の裏側の一部分の上方面（コントローラが普通の使用であるとき）または内面を示している。
【０１９２】
コントローラ１３１０は、コントローラ１３１０の裏側に搭載された、４つのアクチュエータ、つまり、第１のパドルレバー１３１１Ａと、第２のパドルレバー１３１１Ｂと、第３のパドルレバー１３１１Ｃと、第４のパドルレバー１３１１Ｄとを備えている。４つのアクチュエータは、少なくとも一部分が金属材料から構築でき、金属材料は、磁性を有し得るか、または、磁界の影響を受けやすい可能性がある。アクチュエータは鉄材料を備えてもよく、つまり、材料は磁化され得る。アクチュエータは、限定されることはないが、鉄、ニッケル、コバルトなど、強磁性材料を備え得る。
【０１９３】
他の実施形態では、限定されることはないが、プラスチック材料など、他の材料が用いられ得る。
【０１９４】
第３のパドルレバー１３１１Ｃおよび第４のパドルレバー１３１１Ｄは第１の翼部１３１６Ｃおよび第２の翼部１３１６Ｄをそれぞれ備えている。
【０１９５】
第１の翼部１３１６Ｃは、第１のパドルレバー１３１１Ａのテール部分１３５１Ａの下方で、第３のパドルレバー１３１１Ｃのテール部分１３５１Ｃの側方の縁部から延びている。第１の凹所または切り欠き１３９５Ａが、第１の翼部１３１６Ｃを受け入れるために、第１のパドルレバー１３１１Ａの内面に設けられている。第１の翼部１３１６Ｃは、第１のパドルレバー１３１１Ａのテール部分１３５１Ａと鉛直に位置合わせして配置された一対の切替機構（図示していない）の一方を作動させるように構成されている。
【０１９６】
第２の翼部１３１６Ｄは、第２のパドルレバー１３１１Ｂのテール部分１３５１Ｂの下方で、第４のパドルレバー１３１１Ｄのテール部分１３５１Ｄの側方の縁部から延びている。第２の凹所または切り欠き１３９５Ｂが、第２の翼部１３１６Ｄを受け入れるために、第２のパドルレバー１３１１Ｂの内面に設けられている。第２の翼部１３１６Ｄは、第２のパドルレバー１３１１Ｂのテール部分１３５１Ｂと鉛直に位置合わせして配置された一対の切替機構（図示していない）の一方を作動させるように構成されている。
【０１９７】
各々のパドルレバー１３１１Ａ、１３１１Ｂ、１３１１Ｃ、１３１１Ｄは、パドルレバー１３１１Ａ、１３１１Ｂ、１３１１Ｃ、１３４１１Ｄの本体の第１の端部に、実質的に円筒形の端部部分を備えている。円筒形の端部部分１３６２Ａ、１３６２Ｂ、１３６２Ｃ、１３６２Ｄはトラニオンを形成しており、トラニオンは、パドルレバー１３１１Ａ、１３１１Ｂ、１３１１Ｃ、１３１１Ｄをコントローラ１３１０に搭載させることができ、パドルレバー１３１１Ａ、１３１１Ｂ、１３１１Ｃ、１３１１Ｄが回転され得る枢軸点として作用する。パドルレバー１３１１Ａ、１３１１Ｂ、１３１１Ｃ、１３１１Ｄの本体は、端部部分１３６２Ａ、１３６２Ｂ、１３６２Ｃ、１３６２Ｄの管状の軸に対してずらされている。パドルレバー１３１１Ａ、１３１１Ｂ、１３１１Ｃ、１３１１Ｄの本体は、端部部分１３６２Ａ、１３６２Ｂ、１３６２Ｃ、１３６２Ｄの上に、または、通常の使用では端部部分１３６２Ａ、１３６２Ｂ、１３６２Ｃ、１３６２Ｄの下に延びており、パドルレバー１３１１Ａ、１３１１Ｂ、１３１１Ｃ、１３１１Ｄの本体の端部は、第１および第２の通路内で端部部分１３６２Ａ、１３６２Ｂ、１３６２Ｃ、１３６２Ｄの回転移動を限定するために、図２４で最もよく示されている端部停止部１２４２を形成している。
【０１９８】
各々のパドルレバー１３１１Ａ、１３１１Ｂ、１３１１Ｃ、１３１１Ｄは浮き出し部または隆起部１３１８Ａ、１３１８Ｂ、１３１８Ｃ、１３１８Ｄをそれぞれ備えている。浮き出し部１３１８Ａ、１３１８Ｂ、１３１８Ｃ、１３１８Ｄは、切替機構の外面と係合するように構成されている。切替機構の外面は、任意選択でコントローラ１３１０の裏側パネルの外面に対して引っ込められ、任意でずらされてもよい。任意選択で、切替機構の外面は、裏側パネルの厚さより小さい距離だけ引っ込められる。
【０１９９】
コントローラ１３１０は、本体部分（図示していない）と、カバーパネルまたはハッチ１３１３とを備えている。ハッチ１３１３は、本体部分に取り外し可能に搭載され得る。
【０２００】
ハッチ１３１３は、相補的な固定機構の第１の部分を備えている。代替の実施形態では、相補的な固定機構の第１の部分は、本体部分に搭載され得る、または、本体部分と一体に形成され得る。
【０２０１】
ハッチ１３１３は、図２４で最もよく示されており、第１の谷部または通路１３６０Ａと第２の谷部または通路とを備えている。第１の通路１３６０Ａは、図１１〜図１４Ｂおよび図１８の実施形態に関連して記載したのと同様の方法で、第１の端壁部および第２の端壁部を定める垂直部分によって、第２の通路から分離されている。第１の端壁部は第１の通路１３６０Ａの端部を閉じている。第２の端壁部は第２の通路の端部を閉じている。
【０２０２】
任意選択で、第１の通路１３６０Ａは第２の通路に対して異なる方に広がるように構成される。
【０２０３】
第１の通路１３６０Ａおよび第２の通路は、パドルレバー１３１１Ａ、１３１１Ｂ、１３１１Ｃ、１３１１Ｄの円筒形の端部部分１３６２Ａ、１３６２Ｂ、１３６２Ｃ、１３６２Ｄに対して形が相補的となるように構成されている。第１の通路および第２の通路は、それに沿う長手方向の切り欠き、すなわち部分円筒を有する円形の孔を定めるとみなすことができ、長手方向の切り欠きはスロットの形態を取っている。
【０２０４】
第１の通路および第２の通路は、パドルレバー１３１１Ａ、１３１１Ｂ、１３１１Ｃ、１３１１Ｄの円筒形の端部部分１３６２Ａ、１３６２Ｂ、１３６２Ｃ、１３６２Ｄが受け入れられるクレードルまたは受入部を提供する。第１の通路および第２の通路は、パドルレバー１３１１Ａ、１３１１Ｂ、１３１１Ｃ、１３１１Ｄが長手方向の切り欠きを通じて引き抜かれないように構成されている。
【０２０５】
各々のパドルレバー１３１１Ａ、１３１１Ｂ、１３１１Ｃ、１３１１Ｄの本体は、第１の通路および第２の通路のそれぞれ１つにおける長手方向の切り欠きを通じて延びている。
【０２０６】
第１の通路１３６０Ａは、第１の孔寸法または直径を有する第１の通路部分４６４Ａと、第３の孔寸法または直径を有する第３の通路部分４６４Ｃとを備え得る。任意選択で、第１の通路１３６０Ａの第３の部分は、第１の通路１３６０Ａの第１の通路部分より横方向において寸法または直径が小さい。第２の通路は同様に構成され得る。このようにして、第１のパドルレバー１３１１Ａおよび第２のパドルレバー１３１１Ｂは、第３の通路部分および第４の通路部分のそれぞれ１つへと挿入できないように構成され得る。
【０２０７】
図２４に示しているように、第３のパドルレバー１３１１Ｃの円筒形の端部部分１３６２Ｃは第１の通路１３６０Ａに受け入れられる。第１のパドルレバー１３１１Ａ、第２のパドルレバー１３１１Ｂ、および第４のパドルレバー１３１１Ｄは、第１の通路および第２の通路のそれぞれ１つによって同様に受け入れられ得る。
【０２０８】
ハッチ４１３は、限定されることはないが、永久磁石など、一対の磁石１３３８Ａ、１３３８Ｂを備え得る。磁石１３３８Ａ、１３３８Ｂは、一対の隣接するパドルレバー１３１１Ａ／１３１１Ｃ、１３１１Ｂ／１３１１Ｄの各々と鉛直に位置合わせして位置付けられる。任意選択で、パドルレバー１３１１Ａ、１３１１Ｂ、１３１１Ｃ、１３１１Ｄは、引き付けの所望の力を提供するようにパドルレバーに十分な強磁性材料が提供される係合領域１３９３Ｃ（図２４参照）を備え得る。図示した実施形態では、係合領域１３９３Ｃは隣接する領域より厚い。
【０２０９】
存在する場合、磁石１３３８Ａ、１３３８Ｂは、パドルレバー１３１１Ａ、１３１１Ｂ、１３１１Ｃ、１３１１Ｄをハッチ１３１３に向けて引っ張るまたは引き付ける。
【０２１０】
磁石１３３８Ａ、１３３８Ｂは、パドルレバー１３１１Ａ、１３１１Ｂ、１３１１Ｃ、１３１１Ｄをハッチ１３１３に保持させることができる。
【０２１１】
このようにして、磁石１３３８Ａ、１３３８Ｂは、パドルレバー１３１１Ａ、１３１１Ｂ、１３１１Ｃ、１３１１Ｄ、具体的には、隆起部１３１８Ａ、１３１８Ｂ、１３１８Ｃ、１３１８Ｄを、コントローラ１３１０内に配置されたそれぞれの切替機構に近接して保持できる。
【０２１２】
磁石１３３８Ａ、１３３８Ｂは、ハッチ１３１３の外面から離れる方へのパドルレバー１３１１Ａ、１３１１Ｂ、１３１１Ｃ、１３１１Ｄの回転を抑止できる。
【０２１３】
パドルレバー１３１１Ａ、１３１１Ｂ、１３１１Ｃ、１３１１Ｄを取り外すためには、使用者は、パドルレバー１３１１Ａ、１３１１Ｂ、１３１１Ｃ、１３１１Ｄをハッチ１３１３の外面から離れる方へと回転させるために、引き付けの力に打ち勝たなければならない。
【０２１４】
パドルレバー１３１１Ａ、１３１１Ｂ、１３１１Ｃ、１３１１Ｄに付与される引き付けの力は、切替機構によって加えられるパドルレバー１３１１Ａ、１３１１Ｂ、１３１１Ｃ、１３１１Ｄへの復帰力を低減させる、または、その復帰力に抗する。図１９〜図２５の実施形態は追加の復帰力を提供する。追加の復帰力は復帰付勢機構１３９９によって提供される。これは、パドルレバー１３１１Ａ、１３１１Ｂ、１３１１Ｃ、１３１１Ｄが剛体の材料から全体として構築されるとき、パドルレバーが切替機構を作動させるのに十分な力の下での弾性変形に抗することになるため、特に有用であり得る。
【０２１５】
図１９の実施形態における復帰付勢機構は板バネ１３９８Ａ、１３９８Ｂ、１３９８Ｃ、１３９８Ｄによって形成されており、板バネ１３９８Ａ、１３９８Ｂ、１３９８Ｃ、１３９８Ｄの各々はハッチ１３１３の内面に搭載されている。板バネ１３９８Ａ、１３９８Ｂ、１３９８Ｃ、１３９８Ｄは搭載本体１３９２と一体に各々形成されてもよい。搭載本体はハッチ１３１３の内面に固定され得る。図示した実施形態では、ネジの形態での機械的な固定が用いられており、限定されることはないが、接着、結合、または溶接など、他の固定機構が用いられてもよい。復帰付勢機構１３９９は、弾性変形が可能である任意の適切な材料から形成されてもよい。
【０２１６】
復帰付勢機構１３９９および／または板バネ１３９８Ａ、１３９８Ｂ、１３９８Ｃ、１３９８Ｄは、ハッチ１３１３と、または、コントローラ１３１０のハウジングまたはシャーシを形成する他の要素と、一体に形成され得る。
【０２１７】
パドルレバー１３１１Ａ、１３１１Ｂ、１３１１Ｃ、１３１１Ｄの各々は突出部１３９７Ａ、１３９７Ｂ、１３９７Ｃ、１３９７Ｄを備え得る。突出部１３９７Ａ、１３９７Ｂ、１３９７Ｃ、１３９７Ｄの各々は、ハッチ１３１３における開口またはオリフィス１３９１を通じて延びている。各々の突出部１３９７Ａ、１３９７Ｂ、１３９７Ｃ、１３９７Ｄの端部Ｅは板バネ１３９８Ａ、１３９８Ｂ、１３９８Ｃ、１３９８Ｄのそれぞれ１つと係合する。
【０２１８】
他の実施形態では、代替のバネまたは付勢機構が用いられ得る。例えば、限定されることはないが、螺旋圧縮バネがボア孔に設けられてもよい。ボア孔は、その最も奥の端部において、閉じられ得る、または、有底であってもよい。螺旋圧縮バネはパドルレバーの内面と係合し得る、または、パドルレバーは、螺旋圧縮バネが着座される突出部を備え得る。パドルレバーは内蔵した付勢機構を備え得る。パドルレバーの本体の領域は、弾性変形を可能にするように適合または構築され得る。パドルレバーは、プラスチック材料と金属材料との複合材料であり得る。
【０２１９】
ハッチ１３１３は、ハッチ１３１３のカスタマイズを可能にするように、取り外し可能または取り換え可能な印特徴部１３９６を備え得る。
【０２２０】
前述の実施形態では、第３および第４のパドルレバーが、使用者が作動力をアクチュエータに加える係合表面に対して側方にずらした、または、その係合表面から離間した切替機構を作動させるように構成されることが理解されよう。このようにして、第３および第４のパドルレバーの係合表面のいずれも、作動される切替機構と鉛直に位置合わせされる必要はない。
【０２２１】
アクチュエータは、コントローラの少なくとも縦方向に細長くなった係合表面を備え、使用者は、係合表面に沿ういずれかの場所でアクチュエータに係合できる。このようにして、使用者は、切替機構に対して縦方向でずらされ得る複数の位置のうちの１つでアクチュエータと関わり合うことができる。
【０２２２】
前述の実施形態は、切替機構がコントローラ内で位置付けられる位置に対して縦方向と横方向との両方でずれている位置において、アクチュエータをコントローラに搭載させることができる。
【０２２３】
前述の実施形態は、一対の切替機構が第１のアクチュエータと鉛直に位置合わせして提供されるコントローラを提供する。第１のアクチュエータは、コントローラの少なくとも縦方向に細長い、一対の切替機構の第１の一方を作動させるように構成された第１の係合表面を備えている。コントローラは、コントローラの少なくとも縦方向に細長い第２の係合表面を備えている第２のアクチュエータを備えている。第２のアクチュエータは、一対の切替機構の第２の一方を作動させるように構成されている。任意選択で、第１および第２の係合表面は、実質的に互いと平行であるように構成されている。
【０２２４】
任意選択で、第１および第２の係合表面は、コントローラの縦方向において互いと重なるように構成されている。このようにして、使用者が一本の指を同時に両方のアクチュエータに置くことができる。代替で、使用者は、第１の係合表面と第２の係合表面との間で移動するために、自身の指を横方向で移動させる必要があるだけである。
【０２２５】
第２のアクチュエータの第２の係合表面は、第１のアクチュエータの第１の係合表面に対して側方にずれた位置に配置され得る。任意選択で、第２のアクチュエータの第２の係合表面は、第１のアクチュエータの第１の係合表面に対して、コントローラの中央または中間に向けて引っ込むように配置され得る。
【０２２６】
前述の実施形態のうちの一部では、アクチュエータはコントローラに枢動可能に搭載され、アクチュエータは、導路または通路の形態であり得る受入部に受け入れられるための突起を備え、突起は、受入部の長手方向軸に沿う線形の並進によって受入部へと挿入され、受入部の長手方向の軸は、アクチュエータが回転する枢動軸を定めている。
【０２２７】
コントローラが、有線接続または無線接続装置によってゲーム機またはコンピュータに結合され得ることが想定される。
【０２２８】
アクチュエータは、工具を用いずにコントローラに結合および結合解除され得る。
【０２２９】
様々な変更が本発明の範囲内で行われ得ることは、理解され得る。前述の実施形態において、アクチュエータ機構が、家庭用テレビゲーム機または他のパーソナルコンピュータとの使用のための手持ち式のゲームコントローラを参照して説明されてきたが、代替の実施形態では、アクチュエータ機構は、他の手持ち式の電子デバイス、例えば限定されることはないが、携帯の手持ち式ゲーム機（ゲーム機、画面、スピーカ、および制御装置を備える単一のユニット）、携帯電話、タブレットコンピュータ、ファブレットコンピュータと用いられてもよい。アクチュエータ機構は、このような携帯デバイス内に組み込まれ得る、または、限定されることはないが、携帯デバイスを収容するように構成されるケースもしくは運搬具、もしくは他の取り外し可能なジャケットなど、付属品装置の一部を形成し得る。
【０２３０】
一部の実施形態では、第１および／または第２のパドルレバーは、その内面に凹所または切り欠きを備えてもよく、凹所または切り欠きは、第３または第４のパドルレバーの翼部分をそれぞれ受け入れるために設けられる。
【０２３１】
本明細書で用いられるとき、「上」、「下」、「前」、「後」、「端」、「側」、「内側」、「外側」、「上方」、および「下方」などの方向への言及は、それぞれの特徴をこのような向きに限定することはなく、これらの特徴を互いから区別する役割を果たすに過ぎないことが認識されよう。
【符号の説明】
【０２３２】
２  左アナログサムスティック
３  右アナログサムスティック
４  ボタン
５  方向パッド
６  左トリガ本体
７  右トリガ本体
８  左バンパ
９  右バンパ
１０  ゲームコントローラ
１１Ａ  第１のパドルレバー
１１Ｂ  第２のパドルレバー
１１Ｃ  第３のパドルレバー
１１Ｄ  第４のパドルレバー
１２  使用者
１３  ハッチ
１４  中央本体部分、コントローラ本体部分
１５Ａ  第１の導路
１５Ｂ  第２の導路
１５Ｃ  第３の導路
１５Ｄ  第４の導路
１６Ｃ  第１の翼部
１６Ｄ  第２の翼部
１７Ａ、１７Ｂ、１７Ｃ、１７Ｄ  開口
１９Ａ、１９Ｂ、１９Ｃ、１９Ｄ  ヘッド部分
２１Ｂ  浮き出し部
２２  保持クリップ
２３  案内部
２４Ａ、２４Ｂ、２４Ｃ、２４Ｄ  掛かり部、戻り止め
１１１Ｂ  第２のパドルレバー
１１１Ｄ  第４のパドルレバー
１１６Ｄ  第２の翼部
２１１Ｂ  アクチュエータ、第２のパドルレバー
２１１Ｄ  アクチュエータ、第４のパドルレバー
２１３  ハッチ
２１６Ｄ  第２の翼部
２１８Ｂ  浮き出し部、第３の隆起部
２１８Ｄ  浮き出し部、第４の隆起部
２２７Ｄ  側壁部
２２９Ｄ  端部停止部
２３０  フック
２３１、２３３、２３５、２３７、２３９、２４１  支持部材
２３２  案内部、レール
２３８Ａ、２３８Ｃ、２３８Ｄ  永久磁石
３１０  ゲームコントローラ
３１１Ａ  第１のパドルレバー、外側のアクチュエータ
３１１Ｂ  第２のパドルレバー、外側のアクチュエータ
３１１Ｃ  第３のパドルレバー、内側のアクチュエータ
３１１Ｄ  第４のパドルレバー、内側のアクチュエータ
３１４  コントローラ本体
３１６Ｃ  第１の翼部
３１６Ｄ  第２の翼部
３１７Ａ、３１７Ｃ、３１７Ｄ  導路
３５０Ａ、３５０Ｂ、３５０Ｃ、３５０Ｄ  中間部分
３５１Ａ、３５１Ｂ、３５１Ｃ、３５１Ｄ  テール部分
３５２Ｄ  ヘッド部分
４１０  ゲームコントローラ
４１１Ａ  第１のパドルレバー
４１１Ｂ  第２のパドルレバー
４１１Ｃ  第３のパドルレバー
４１１Ｄ  第４のパドルレバー
４１３  カバーパネル、ハッチ
４１４  本体部分
４１６Ｃ  第１の翼部
４１６Ｄ  第２の翼部
４３１  第２の側壁部
４３３  第４の側壁部
４３５  第２の端壁部
４３７  第１の端壁部
４３８Ａ、４３８Ｂ、４３８Ｃ、４３８Ｄ  磁石
４３９  第３の側壁部
４４１  第１の側壁部
４５１Ａ  テール部分
４５１Ｃ  テール部分
４６０Ａ  第１の谷部または通路
４６０Ｂ  第２の谷部または通路
４６２Ａ、４６２Ｂ、４６２Ｃ、４６２Ｄ  円筒形の端部部分
４６４Ａ  第１の通路部分
４６４Ｂ  第２の通路部分
４６４Ｃ  第３の通路部分
４６４Ｄ  第４の通路部分
５１０  ゲームコントローラ
５１１Ａ  第１のパドルレバー
５１１Ｂ  第２のパドルレバー
５１１Ｃ  第３のパドルレバー
５１１Ｄ  第４のパドルレバー
５１６Ｃ  第１の翼部
５５１Ａ  テール部分、第１の部分、第２の部分
５５１Ｃ  テール部分、第２の部分
５７０Ａ  中間部分
５７０Ｃ  中間部分
５７２Ａ  第１の部分
５７２Ｃ  第１の部分
６１０  ゲームコントローラ
６１１Ａ  第１のパドルレバー
６１１Ｃ  第３のパドルレバー
６１６Ｃ  第１の翼部
６５１Ａ、６５１Ｃ  テール部分
６９０Ｃ  先細り部分
７１０  ゲームコントローラ
７１１Ｃ  第３のパドルレバー
７１４  本体
７３８Ａ  磁石
７８２Ｃ  フック
７８４Ｃ  通路
７８６Ｃ  ヘッド部分
８１０  ゲームコントローラ
８１１Ｃ  第３のパドルレバー
８３８Ａ  磁石
８７６Ｃ  輪状構造
８７７Ｃ  ピン
９１０  ゲームコントローラ
９１４  本体
９７６Ｃ  輪状構造
９７７Ｃ  ピン
９８０Ｃ  バネ
１０１０  ゲームコントローラ
１０１１Ａ  第１のパドルレバー
１０１１Ｃ  第３のパドルレバー
１０１６Ｃ  第１の翼部
１０５１Ａ、１０５１Ｃ  テール部分
１１１０  ゲームコントローラ
１１１１Ａ  第１のパドルレバー
１１１１Ｃ  第３のパドルレバー
１１１６Ｃ  第１の翼部
１１５１Ａ  テール部分、第１の部分、第２の部分
１１５１Ｃ  テール部分
１１７０Ａ、１１７０Ｃ  中間部分
１１７２Ａ  第１の部分
１２１１Ｂ  第２のパドルレバー
１２１１Ｄ  第４のパドルレバー
１２４２  第２の制限体、端部停止部
１２４３  第４の制限体
１２６２Ａ、１２６２Ｂ  円筒形の端部部分
１３１０  ゲームコントローラ
１３１１Ａ  第１のパドルレバー
１３１１Ｂ  第２のパドルレバー
１３１１Ｃ  第３のパドルレバー
１３１１Ｄ  第４のパドルレバー
１３１３  カバーパネル、ハッチ
１３１６Ｃ  第１の翼部
１３１６Ｄ  第２の翼部
１３１８Ａ、１３１８Ｂ、１３１８Ｃ、１３１８Ｄ  浮き出し部、隆起部
１３３８Ａ、１３３８Ｂ  磁石
１３５１Ａ、１３５１Ｃ  テール部分
１３６０Ａ  第１の谷部または通路
１３６２Ａ、１３６２Ｂ、１３６２Ｃ、１３６２Ｄ  端部部分
１３９２  搭載本体
１３９５Ａ  第１の凹所または切り欠き
１３９５Ｂ  第２の凹所または切り欠き
１３９６  印特徴部
１３９７Ａ、１３９７Ｂ、１３９７Ｃ、１３９７Ｄ  突出部
１３９８Ａ、１３９８ｂ、１３９８Ｃ、１３９８Ｄ  板バネ
１３９９  復帰付勢機構
Ａ１  軸
Ｅ  端部
ＨＲ  第１のハンドル
ＨＬ  第２のハンドル
Ｌ  左手
Ｒ  右手
Ｓ１  第１の切替機構
Ｓ２  第２の切替機構
Ｓ３  第３の切替機構
Ｓ４  第４の切替機構
θ、θ２  角度
【図１】
0006626579.tif 000002
【図２】
0006626579.tif 000003
【図３】
0006626579.tif 000004
【図４】
0006626579.tif 000005
【図５Ａ】
0006626579.tif 000006
【図５Ｂ】
0006626579.tif 000007
【図５Ｃ】
0006626579.tif 000008
【図６Ａ】
0006626579.tif 000009
【図６Ｂ】
0006626579.tif 000010
【図６Ｃ】
0006626579.tif 000011
【図６Ｄ】
0006626579.tif 000012
【図７】
0006626579.tif 000013
【図８】
0006626579.tif 000014
【図９Ａ】
0006626579.tif 000015
【図９Ｂ】
0006626579.tif 000016
【図９Ｃ】
0006626579.tif 000017
【図９Ｄ】
0006626579.tif 000018
【図１０Ａ】
0006626579.tif 000019
【図１０Ｂ】
0006626579.tif 000020
【図１１Ａ】
0006626579.tif 000021
【図１２Ａ】
0006626579.tif 000022
【図１２Ｂ】
0006626579.tif 000023
【図１２Ｃ】
0006626579.tif 000024
【図１３Ａ】
0006626579.tif 000025
【図１３Ｂ】
0006626579.tif 000026
【図１４Ａ】
0006626579.tif 000027
【図１４Ｂ】
0006626579.tif 000028
【図１５Ａ】
0006626579.tif 000029
【図１５Ｂ】
0006626579.tif 000030
【図１５Ｃ】
0006626579.tif 000031
【図１６Ａ】
0006626579.tif 000032
【図１６Ｂ】
0006626579.tif 000033
【図１６Ｃ】
0006626579.tif 000034
【図１６Ｄ】
0006626579.tif 000035
【図１７Ａ】
0006626579.tif 000036
【図１７Ｂ】
0006626579.tif 000037
【図１７Ｃ】
0006626579.tif 000038
【図１８】
0006626579.tif 000039
【図１９】
0006626579.tif 000040
【図２０】
0006626579.tif 000041
【図２１】
0006626579.tif 000042
【図２２】
0006626579.tif 000043
【図２３】
0006626579.tif 000044
【図２４】
0006626579.tif 000045
【図２５】
0006626579.tif 000046